(57)【要約】  電気外科用装置が開示される。電気外科用装置は、エンドエフェクタの細長通路内に配置されるように構成されたカートリッジを含む。カートリッジは、カートリッジの縦軸に沿って配置された複数の電極部分を有する電極を含む。電極は、発電機に電気的に結合するように構成されている。複数の電極部分のうちの各電極部分は、当該電極部分に近接して配置された組織にある量のエネルギーを送達するように構成されている。複数の電極部分のうちの第１の電極部分によって送達されるエネルギーの量は、複数の電極部分のうちの第２の電極部分によって送達されるエネルギーの量とは異なる。
2020525205.tif 000002
【特許請求の範囲】
【請求項１】
電気外科用装置であって、
エンドエフェクタの細長通路内に配置されるように構成されたカートリッジであって、前記カートリッジが、前記カートリッジの縦軸に沿って配置される複数の電極部分を有する電極を備え、前記電極が発電機と電気的に連結するように構成されている、カートリッジを備え、
前記複数の電極部分のうちの各電極部分が、前記電極部分に近接して配置された組織にある量のエネルギーを送達するように構成され、
前記複数の電極部分のうちの第１の電極部分によって送達されるエネルギーの量が、前記複数の電極部分のうちの第２の電極部分によって送達されるエネルギーの量とは異なる、電気外科用装置。
【請求項２】
前記カートリッジが、前記細長通路内に解放可能に配置されるように構成されている、請求項１に記載の電気外科用装置。
【請求項３】
前記複数の電極部分が、近位右側電極、遠位右側電極、近位左側電極、及び遠位左側電極を備える、請求項１に記載の電気外科用装置。
【請求項４】
右側フレキシブル回路及び左側フレキシブル回路を更に備え、前記近位右側電極及び前記遠位右側電極が、前記右側フレキシブル回路に電気的に連結されており、前記近位左側電極及び前記遠位左側電極が、前記左側フレキシブル回路に電気的に連結されている、請求項３に記載の電気外科用装置。
【請求項５】
前記右側フレキシブル回路及び前記左側フレキシブル回路がそれぞれ、０．６３５ｍｍ（０．０２５インチ）の全体幅を有し、前記近位右側電極、前記遠位右側電極、前記近位左側電極、及び前記遠位左側電極がそれぞれ、０．２５４ｍｍ（０．０１０インチ）の幅を有する、請求項４に記載の電気外科用装置。
【請求項６】
電気外科用装置であって、
エンドエフェクタの細長通路内に配置されるように構成されたカートリッジであって、前記カートリッジが、前記カートリッジの縦軸に沿って配置される複数の電極部分を有する電極を備え、前記電極が発電機と電気的に連結するように構成されている、カートリッジと、
前記電極に電気的に連結されたフレキシブルカートリッジ回路であって、前記フレキシブルカートリッジ回路が、前記細長通路内に配置された通路回路の遠位端上にある、複数の露出した接触部に電気的に連結するように構成されている、フレキシブルカートリッジ回路と、を備え、
前記複数の電極部分のうちの各電極部分が、前記電極部分に近接して配置された組織にある量のエネルギーを送達するように構成され、
前記複数の電極部分のうちの第１の電極部分によって送達されるエネルギーの量が、前記複数の電極部分のうちの第２の電極部分によって送達されるエネルギーの量とは異なる、電気外科用装置。
【請求項７】
前記通路回路が、フレキシブルシャフト回路ストリップの遠位接触部分に電気的に連結された近位接触部分を更に備える、請求項６に記載の電気外科用装置。
【請求項８】
前記フレキシブルシャフト回路ストリップの近位接触部分が、前記発電機に電気的に連結するように構成されている、請求項７に記載の電気外科用装置。
【請求項９】
エンドエフェクタであって、
第１ジョー組立体であって、
細長通路と、
前記細長通路内に配置された電気外科用カートリッジであって、
前記電気外科用カートリッジの縦軸に沿って配置された複数のシアー電極部分を有するシアー電極と、
前記電気外科用カートリッジの遠位端に配置された切開電極と、を更に備える、電気外科用カートリッジと、を備える、第１ジョー組立体と、
前記電気外科用カートリッジの表面に近接して移動するように構成されたアンビルを備える第２ジョー組立体と、を備え、
前記シアー電極及び前記切開電極はそれぞれ、電気外科用発電機から電気外科的エネルギーを受容するように構成され、
前記複数のシアー電極部分のうちの各シアー電極部分が、前記シアー電極部分に近接して配置された組織にある量の電気外科的エネルギーを送達するように構成され、
前記複数のシアー電極部分のうちの第１のシアー電極部分によって送達される電気外科的エネルギーの量が、前記複数のシアー電極部分のうちの第２のシアー電極部分によって送達される電気外科的エネルギーの量とは異なる、エンドエフェクタ。
【請求項１０】
前記電気外科用カートリッジが、前記細長通路内に解放可能に配置されている、請求項９に記載のエンドエフェクタ。
【請求項１１】
前記第１のシアー電極部分が、前記第２のシアー電極部分の近位にある、請求項９に記載のエンドエフェクタ。
【請求項１２】
前記第１のシアー電極部分により送達される前記電気外科的エネルギーの量が、前記第２のシアー電極部分により送達される前記電気外科的エネルギーの量未満である、請求項１１に記載のエンドエフェクタ。
【請求項１３】
前記第１のシアー電極部分が第１のパターン化エネルギー送達表面を有し、前記第２のシアー電極部分が第２のパターン化エネルギー送達表面を有する、請求項１１に記載のエンドエフェクタ。
【請求項１４】
前記第１のパターン化エネルギー送達表面が、前記第２のパターン化エネルギー送達表面とは異なる、請求項１３に記載のエンドエフェクタ。
【請求項１５】
前記第１のパターン化エネルギー送達表面及び前記第２のパターン化エネルギー送達表面がそれぞれ、複数の表面特徴部を備える、請求項１３に記載のエンドエフェクタ。
【請求項１６】
前記複数の表面特徴部が電気絶縁性材料を備える、請求項１５に記載のエンドエフェクタ。
【請求項１７】
前記第１のパターン化エネルギー送達表面が、複数の表面特徴部の第１の面密度を有し、前記第２のパターン化エネルギー送達表面が、複数の表面特徴部の第２の面密度を有し、複数の表面特徴部の前記第１の面密度が、複数の表面特徴部の前記第２の面密度よりも大きい、請求項１５に記載のエンドエフェクタ。
【請求項１８】
前記複数の表面特徴部が、複数の横断直線特徴部を備えている、請求項１５に記載のエンドエフェクタ。
【請求項１９】
前記複数の表面特徴部が、複数の円形特徴部を備えている、請求項１５に記載のエンドエフェクタ。
【請求項２０】
前記複数の表面特徴部が、複数の凹型四辺形特徴部を備えている、請求項１５に記載のエンドエフェクタ。
【請求項２１】
前記第１のパターン化エネルギー送達表面が、前記第１のシアー電極部分の表面に直接配置された、第１の複数の表面特徴部を備え、前記第２のパターン化エネルギー送達表面が、前記第２のシアー電極部分の表面に直接配置された、第２の複数の表面特徴部を備える、請求項１５に記載のエンドエフェクタ。
【請求項２２】
第１のパターン化エネルギー送達表面が、前記第１のシアー電極部分の表面に配置された、第１の複数のくぼみ表面特徴部を備え、前記第２のパターン化エネルギー送達表面が、前記第２のシアー電極部分の表面に配置された、第２の複数のくぼみ表面特徴部を備える、請求項１５に記載のエンドエフェクタ。
【請求項２３】
前記シアー電極が、左側シアー電極及び右側シアー電極を備える、請求項９に記載のエンドエフェクタ。
【請求項２４】
前記左側シアー電極が、前記電気外科用カートリッジの縦軸に沿って配置された複数の左側シアー電極部分を備え、前記右側シアー電極が、前記電気外科用カートリッジの縦軸に沿って配置された複数の右側シアー電極部分を備える、請求項２３に記載のエンドエフェクタ。
【請求項２５】
前記左側シアー電極が、前記電気外科用カートリッジの縦軸に沿って配置された３つの左側シアー電極部分を備え、前記右側シアー電極が、前記電気外科用カートリッジの縦軸に沿って配置された３つの右側シアー電極部分を備える、請求項２４に記載のエンドエフェクタ。
【発明の詳細な説明】
【技術分野】
【０００１】
本開示は、電気外科用装置に関し、様々な態様では、それによって圧縮された組織に電気エネルギーを伝導するように設計された圧縮ジョー構成要素に関する。
【背景技術】
【０００２】
いくつかの態様では、電気外科用装置は、１つの組織での、及び／又は複数の組織間での止血封止を誘発するように構成されてもよい。止血封止は、組織に印加された圧縮力と、組織に印加された電気エネルギーとを組み合わせることにより行うことができる。電気外科用装置のいくつかの態様では、圧縮力は、複数のジョー組立体間での組織の圧縮により供給されてもよい。更に、電気エネルギーは、ジョー組立体のいくつかの構成要素内、又は上に配置された１つ以上の電極により供給されてもよい。止血封止をもたらすのに十分な電気エネルギーの量は、部分的には、封止される組織の厚さ、密度、及び／又は量に依存し得る。
【０００３】
過度の電気エネルギーを組織に印加することにより、組織の焦げ付き又は瘢痕形成がもたらされ得ると理解することができる。しかし、不十分な電気エネルギーを組織に印加することで、効果のない止血封止がもたらされ得る。したがって、電気外科用装置のユーザは、組織厚、密度、及び量に基づいて、装置の複数のジョー組立体間で圧縮される組織に送達される電気エネルギーの量を調節する必要があり得る。複数のジョー組立体の間で圧縮された組織が本質的に均質である場合、電気外科用装置のユーザは、単純な制御を用いて、組織に送達される電気エネルギーの量を調節することができる。しかし、止血封止をするための組織の中には、その厚さ、密度、及び／又は量のいずれか１つ以上が不均質であるものがあると認識することができる。結果的に、複数のジョー組立体間で圧縮される組織に送達される電気エネルギーの量を１回で制御することによって、組織の焦げ付き部分及び不十分に封止された部分がもたらされ得る。
【発明の概要】
【課題を解決するための手段】
【０００４】
電気外科用装置が提供される。電気外科用装置は、エンドエフェクタの細長通路内に配置されるように構成されたカートリッジであって、カートリッジが、カートリッジの縦軸に沿って配置される複数の電極部分を有する電極を備え、電極が発電機と電気的に連結するように構成されている、カートリッジを備え、複数の電極部分のうちの各電極部分が、電極部分に近接して配置された組織にある量のエネルギーを送達するように構成され、複数の電極部分のうちの第１の電極部分によって送達されるエネルギーの量が、複数の電極部分のうちの第２の電極部分によって送達されるエネルギーの量とは異なる。
【０００５】
別の態様において、電気外科用装置は、エンドエフェクタの細長通路内に配置されるように構成されたカートリッジであって、カートリッジが、カートリッジの縦軸に沿って配置される複数の電極部分を有する電極を備え、電極が発電機と電気的に連結するように構成されている、カートリッジと、電極に電気的に連結されたフレキシブルカートリッジ回路であって、フレキシブルカートリッジ回路が、細長通路内に配置された通路回路の遠位端上にある、複数の露出した接触部に電気的に連結するように構成されている、フレキシブルカートリッジ回路と、を備え、複数の電極部分のうちの各電極部分が、電極部分に近接して配置された組織にある量のエネルギーを送達するように構成され、複数の電極部分のうちの第１の電極部分によって送達されるエネルギーの量が、複数の電極部分のうちの第２の電極部分によって送達されるエネルギーの量とは異なる。
【０００６】
別の態様において、エンドエフェクタが提供される。エンドエフェクタは、第１ジョー組立体であって、細長通路と、細長通路内に配置された電気外科用カートリッジであって、電気外科用カートリッジの縦軸に沿って配置された複数のシアー電極部分を有するシアー電極と、電気外科用カートリッジの遠位端に配置された切開電極と、を更に備える、電気外科用カートリッジと、を備える、第１ジョー組立体と、電気外科用カートリッジの表面に近接して移動するように構成されたアンビルを備える第２ジョー組立体と、を備え、シアー電極及び切開電極はそれぞれ、電気外科用発電機から電気外科的エネルギーを受容するように構成され、複数のシアー電極部分のうちの各シアー電極部分が、シアー電極部分に近接して配置された組織にある量の電気外科的エネルギーを送達するように構成され、複数のシアー電極部分のうちの第１のシアー電極部分によって送達される電気外科的エネルギーの量が、複数のシアー電極部分のうちの第２のシアー電極部分によって送達される電気外科的エネルギーの量とは異なる。
【図面の簡単な説明】
【０００７】
本明細書に記載される態様の新規特徴は、添付の「特許請求の範囲」に具体的に記載される。しかしこれらの態様は、構成及び動作の方法のいずれに関しても、以下の説明文を添付の図面と共に参照することによってより深く理解され得る。
【図１】本開示の一態様に従った、従来の外科用ステープル／締結具カートリッジ及び高周波（ＲＦ）カートリッジと共に使用するように構成された交換式外科用道具組立体に連結されたハンドル組立体を含む外科用システムの斜視図である。
【図２】本開示の一態様に従った、図１の外科用システムの分解斜視組立図である。
【図３】本開示の一態様に従った、図１及び図２のハンドル組立体及び交換式外科用道具組立体の一部の、別の分解斜視組立図である。
【図４】本開示の一態様に従った、図１〜図３の交換式外科用道具組立体の近位部の分解組立図である。
【図５】本開示の一態様に従った、図１〜図４の交換式外科用道具組立体の遠位部の、別の分解組立図である。
【図６】本開示の一態様に従った、中にＲＦカートリッジを支持し、カートリッジとアンビルとの間に組織がクランプ留めされ、図１〜図５に示すエンドエフェクタの部分断面図である。
【図７】本開示の一態様に従った、図６のアンビルの部分断面図である。
【図８】本開示の一態様に従った、図１〜図５の交換式外科用道具組立体の一部の、別の分解組立図である。
【図９】本開示の一態様に従った、図１及び図２の交換式外科用道具組立体及びハンドル組立体の、別の分解組立図である。
【図１０】本開示の一態様に従った、図１〜図５の交換式外科用道具組立体のＲＦカートリッジ及び細長通路の斜視図である。
【図１１】本開示の一態様に従った、ナイフ部材を備えた、図１０のＲＦカートリッジ及び細長通路の一部の部分斜視図である。
【図１２】本開示の一態様に従った、図１０の細長通路内に取り付けられ、フレキシブルシャフト回路構成の一部を示すＲＦカートリッジの別の斜視図である。
【図１３】本開示の一態様に従った、図１２の線１３−１３に沿って切り取った、図１２のＲＦカートリッジ及び細長通路の断面端図である。
【図１４】本開示の一態様に従った、エンドエフェクタが関節運動位置にある、図１及び５の交換式外科用道具組立体の一部の上部断面図である。
【図１５】本開示の一態様に従った、搭載された回路基板構成及びＲＦ発電機を加えた構成の斜視図である。
【図１６Ａ】本開示の一態様に従った、２つの図面にまたがる、図１の外科用器具の制御回路のブロック図である。
【図１６Ｂ】本開示の一態様に従った、２つの図面にまたがる、図１の外科用器具の制御回路のブロック図である。
【図１７】本開示の一態様に従った、ハンドル組立体と電源組立体との間のインタフェース、と及びハンドル組立体交換式シャフト組立体との間のインタフェースを示す、図１の外科用器具の制御回路のブロック図である。
【図１８】本開示の一態様に従った、様々な機能を制御するように構成された外科用器具の概略図である。
【図１９Ａ】開構成のエンドエフェクタの一態様の斜視図である。
【図１９Ｂ】図１９Ａに示すエンドエフェクタの態様の側横断面図である。
【図２０】図１９Ａに示すシアー電極に沿って配置され得る表面特徴部の態様の図である。
【発明を実施するための形態】
【０００８】
本出願の出願人は、本出願と同時に出願された以下の特許出願を所有しており、これらの各々は、参照によりそれぞれの全体が本明細書に組み込まれる。
代理人整理番号ＥＮＤ８１８４ＵＳＮＰ／１７００６３、２０１７年６月２８日出願の発明者Ｊｅｆｆｒｅｙ  Ｄ．Ｍｅｓｓｅｒｌｙらによる、表題「ＳＵＲＧＩＣＡＬ  ＳＹＳＴＥＭ  ＣＯＵＰＬＥＡＢＬＥ  ＷＩＴＨ  ＳＴＡＰＬＥ  ＣＡＲＴＲＩＤＧＥ  ＡＮＤ  ＲＡＤＩＯ  ＦＲＥＱＵＥＮＣＹ  ＣＡＲＴＲＩＤＧＥ，ＡＮＤ  ＭＥＴＨＯＤ  ＯＦ  ＵＳＩＮＧ  ＳＡＭＥ」。
代理人整理番号ＥＮＤ８１８３ＵＳＮＰ／１７００６４、２０１７年６月２８日出願の発明者Ｊｅｆｆｒｅｙ  Ｄ．Ｍｅｓｓｅｒｌｙらによる、表題「ＳＹＳＴＥＭＳ  ＡＮＤ  ＭＥＴＨＯＤＳ  ＯＦ  ＤＩＳＰＬＡＹＩＮＧ  ＳＵＲＧＩＣＡＬ  ＩＮＳＴＲＵＭＥＮＴ  ＳＴＡＴＵＳ」。
代理人整理番号ＥＮＤ８１９０ＵＳＮＰ／１７００６５、２０１７年６月２８日出願の発明者Ｊｅｆｆｒｅｙ  Ｄ．Ｍｅｓｓｅｒｌｙらによる、表題「ＳＨＡＦＴ  ＭＯＤＵＬＥ  ＣＩＲＣＵＩＴＲＹ  ＡＲＲＡＮＧＥＭＥＮＴＳ」。
代理人整理番号ＥＮＤ８１８９ＵＳＮＰ／１７００６６、２０１７年６月２８日出願の発明者Ｊｅｆｆｒｅｙ  Ｄ．Ｍｅｓｓｅｒｌｙらによる、表題「ＳＹＳＴＥＭＳ  ＡＮＤ  ＭＥＴＨＯＤＳ  ＦＯＲ  ＣＯＮＴＲＯＬＬＩＮＧ  ＣＯＮＴＲＯＬ  ＣＩＲＣＵＩＴＳ  ＦＯＲ  ＩＮＤＥＰＥＮＤＥＮＴ  ＥＮＥＲＧＹ  ＤＥＬＩＶＥＲＹ  ＯＶＥＲ  ＳＥＧＭＥＮＴＥＤ  ＳＥＣＴＩＯＮＳ」。
代理人整理番号ＥＮＤ８１８５ＵＳＮＰ／１７００６７、２０１７年６月２８日出願の発明者Ｊｅｆｆｒｅｙ  Ｄ．Ｍｅｓｓｅｒｌｙらによる、表題「ＦＬＥＸＩＢＬＥ  ＣＩＲＣＵＩＴ  ＡＲＲＡＮＧＥＭＥＮＴ  ＦＯＲ  ＳＵＲＧＩＣＡＬ  ＦＡＳＴＥＮＩＮＧ  ＩＮＳＴＲＵＭＥＮＴＳ」。
代理人整理番号ＥＮＤ８１８８ＵＳＮＰ／１７００６８、２０１７年６月２８日出願の発明者Ｊｅｆｆｒｅｙ  Ｄ．Ｍｅｓｓｅｒｌｙらによる、表題「ＳＵＲＧＩＣＡＬ  ＳＹＳＴＥＭ  ＣＯＵＰＬＥＡＢＬＥ  ＷＩＴＨ  ＳＴＡＰＬＥ  ＣＡＲＴＲＩＤＧＥ  ＡＮＤ  ＲＡＤＩＯ  ＦＲＥＱＵＥＮＣＹ  ＣＡＲＴＲＩＤＧＥ，ＡＮＤ  ＨＡＶＩＮＧ  Ａ  ＰＬＵＲＡＬＩＴＹ  ＯＦ  ＲＡＤＩＯ−ＦＲＥＱＵＥＮＣＹ  ＥＮＥＲＧＹ  ＲＥＴＵＲＮ  ＰＡＴＨＳ」。
代理人整理番号ＥＮＤ８１８１ＵＳＮＰ／１７００６９、２０１７年６月２８日出願の発明者Ｄａｖｉｄ  Ｃ．Ｙａｔｅｓらによる、表題「ＳＹＳＴＥＭＳ  ＡＮＤ  ＭＥＴＨＯＤＳ  ＦＯＲ  ＣＯＮＴＲＯＬＬＩＮＧ  ＣＯＮＴＲＯＬ  ＣＩＲＣＵＩＴＳ  ＦＯＲ  ＡＮ  ＩＮＤＥＰＥＮＤＥＮＴ  ＥＮＥＲＧＹ  ＤＥＬＩＶＥＲＹ  ＯＶＥＲ  ＳＥＧＭＥＮＴＥＤ  ＳＥＣＴＩＯＮＳ」。
代理人整理番号ＥＮＤ８１８７ＵＳＮＰ／１７００７０、２０１７年６月２８日出願の発明者Ｔａｍａｒａ  Ｗｉｄｅｎｈｏｕｓｅらによる、表題「ＳＵＲＧＩＣＡＬ  ＥＮＤ  ＥＦＦＥＣＴＯＲ  ＦＯＲ  ＡＰＰＬＹＩＮＧ  ＥＬＥＣＴＲＯＳＵＲＧＩＣＡＬ  ＥＮＥＲＧＹ  ＴＯ  ＤＩＦＦＥＲＥＮＴ  ＥＬＥＣＴＲＯＤＥＳ  ＯＮ  ＤＩＦＦＥＲＥＮＴ  ＴＩＭＥ  ＰＥＲＩＯＤＳ」。
代理人整理番号ＥＮＤ８１８２ＵＳＮＰ／１７００７１、２０１７年６月２８日出願の発明者Ｔａｍａｒａ  Ｗｉｄｅｎｈｏｕｓｅらによる、表題「ＥＬＥＣＴＲＯＳＵＲＧＩＣＡＬ  ＣＡＲＴＲＩＤＧＥ  ＦＯＲ  ＵＳＥ  ＩＮ  ＴＨＩＮ  ＰＲＯＦＩＬＥ  ＳＵＲＧＩＣＡＬ  ＣＵＴＴＩＮＧ  ＡＮＤ  ＳＴＡＰＬＩＮＧ  ＩＮＳＴＲＵＭＥＮＴ」。
代理人整理番号ＥＮＤ８２２４ＵＳＮＰ／１７００７３、２０１７年６月２８日出願の発明者Ｊａｓｏｎ  Ｌ．Ｈａｒｒｉｓらによる、表題「ＣＡＲＴＲＩＤＧＥ  ＡＲＲＡＮＧＥＭＥＮＴＳ  ＦＯＲ  ＳＵＲＧＩＣＡＬ  ＣＵＴＴＩＮＧ  ＡＮＤ  ＦＡＳＴＥＮＩＮＧ  ＩＮＳＴＲＵＭＥＮＴＳ  ＷＩＴＨ  ＬＯＣＫＯＵＴ  ＤＩＳＡＢＬＥＭＥＮＴ  ＦＥＡＴＵＲＥＳ」。
代理人整理番号ＥＮＤ８２２９ＵＳＮＰ／１７００７４、２０１７年６月２８日出願の発明者Ｊｅｆｆｒｅｙ  Ｄ．Ｍｅｓｓｅｒｌｙらによる、表題「ＳＵＲＧＩＣＡＬ  ＣＵＴＴＩＮＧ  ＡＮＤ  ＦＡＳＴＥＮＩＮＧ  ＩＮＳＴＲＵＭＥＮＴＳ  ＷＩＴＨ  ＤＵＡＬ  ＰＯＷＥＲ  ＳＯＵＲＣＥＳ」。
【０００９】
一態様において、本開示は、複数のジョー組立体間で圧縮された一片の組織に、様々な電気エネルギーを送達するように構成され得る電気外科用装置を提供する。電気外科用装置は、多くの外科手術で使用され得る。電気外科用装置は、組織を治療するために、組織に電気エネルギーを印加することができる。電気外科用装置は、１つ以上の電極を備えるエンドエフェクタを遠位に取り付けた器具を備えていてもよい。エンドエフェクタは、電流が組織に導入されるように、組織に対して配置することができる。電気外科用装置は、単極性動作又は双極性動作のために構成することができる。単極性動作の間、エンドエフェクタ上の活性（又はソース）電極により、電流を組織に導入することができ、リターン電極により戻すことができる。リターン電極は接地パッドであってよく、患者の身体の上で別個に配置されていてよい。双極性動作の間、電流は、それぞれエンドエフェクタの活性電極により組織に導入され、リターン電極により組織から戻され得る。
【００１０】
エンドエフェクタは２つ以上のジョー部材を含むことができる。ジョー部材のうちの少なくとも１つは、少なくとも１つの電極を有することができる。少なくとも１つのジョーは、ジョー部材の間隔が、第１の位置の間隔よりも小さくなる位置に組織を受容するために、対向するジョーから隔置された位置から移動可能であり得る。この移動可能なジョーの動きにより、その間に保持された組織が圧縮され得る。組織を通じて流れる電流によって発生する熱が、ジョーの移動によって達成される圧縮と組み合わさって、組織内及び／又は組織間に止血封止を形成してもよく、したがって、例えば、血管を封止するために特に有用となり得る。エンドエフェクタは、切断部材を備えてもよい。切断部材は、組織及び電極に対して移動可能であり、組織を切除することができる。
【００１１】
電気外科用装置はまた、ステープリング装置などの組織を一緒にクランプ留めするためのメカニズム、及び／又は組織ナイフなどの組織を切り離すためのメカニズムを含んでもよい。電気外科用装置は、治療を受けている組織に近接してエンドエフェクタを配置するためのシャフトを含んでもよい。シャフトは、直線状であっても曲線状であってもよく、屈曲可能であっても屈曲不能であってもよい。直線状の屈曲可能なシャフトを含む電気外科用装置では、シャフトは、シャフトの制御された屈曲を可能にするための１つ以上の関節接合部を有してもよい。そのような接合部は、直線状の非屈曲式シャフトを有する電気外科用装置を使用して治療されている組織に容易にアクセスできないときに、本電気外科用装置のユーザが、シャフトに対してある角度をなしてエンドエフェクタを組織と接触させて配置することを可能にし得る。
【００１２】
電気外科用装置によって印加される電気エネルギーは、ハンドピースと連通している発電機によって、器具へと伝達することができる。電気エネルギーは、高周波（「ＲＦ」）エネルギーの形態であってもよい。ＲＦエネルギーは、２００キロヘルツ（ｋＨｚ）〜１メガヘルツ（ＭＨｚ）の周波数範囲であり得る電気エネルギーの一形態である。印加中、電気外科用器具は、組織を通じて低周波数ＲＦエネルギーを伝送することができ、これはイオン撹拌又は摩擦、即ち抵抗加熱を生じさせ、これによって組織の温度を増加させることができる。罹患組織と周囲組織との間にはっきりとした境界が作り出されるため、外科医は、隣接する非標的組織を犠牲にすることなく、高レベルの正確性及び制御で手術することができる。ＲＦエネルギーの低動作温度は、軟組織を除去、収縮、又は成形しながら、同時に血管を封止するために有用である。ＲＦエネルギーは、主にコラーゲンから構成されかつ熱に接触した際に収縮する、結合組織に対して特に良好に作用する。
【００１３】
ＲＦエネルギーは、ＥＮ  ６０６０１−２−２：２００９＋Ａ１１：２０１１，Ｄｅｆｉｎｉｔｉｏｎ  ２０１．３．２１８−ＨＩＧＨ  ＦＲＥＱＵＥＮＣＹに記載される周波数範囲であり得る。例えば、モノポーラＲＦ用途における周波数は、典型的には、５ＭＨｚ未満に制限され得る。しかしながら、バイポーラＲＦ用途において、周波数は、ほぼどのような周波数であってもよい。２００ｋＨｚ超の周波数は、典型的には、低周波数の電流の使用から生じる神経及び筋肉の不必要な刺激を避けるために、モノポーラ用途に使用され得る。神経筋刺激の可能性が許容可能なレベルにまで緩和されたことをリスク分析が示す場合、より低い周波数がバイポーラ用途に使用され得る。高周波数漏洩電流に関連する問題を最小限に抑えるために、５ＭＨｚ超の周波数は、通常使用されない。しかしながら、より高い周波数は、バイポーラ用途の場合には使用され得る。一般に、１０ｍＡが、組織への熱効果の下側閾値であると認識されている。
【００１４】
図１及び図２は、様々な異なる外科的処置を実施するために使用し得る、モータ駆動式外科用システム１０を示す。図示した構成において、外科用システム１０は、ハンドル組立体５００に動作可能に連結された交換式外科用道具組立体１０００を備える。別の外科用システムの態様では、交換式外科用道具組立体１０００は、ロボット制御又は自動外科用システムの道具駆動組立体と共に効果的に使用され得る。例えば、本明細書で開示する外科用道具組立体１０００は、様々なロボットシステム、器具、構成要素及び方法、例えば、限定されないが、参照によって全体内容が本明細書に組み込まれる米国特許第９，０７２，５３５号、発明の名称「ＳＵＲＧＩＣＡＬ  ＳＴＡＰＬＩＮＧ  ＩＮＳＴＲＵＭＥＮＴＳ  ＷＩＴＨ  ＲＯＴＡＴＡＢＬＥ  ＳＴＡＰＬＥ  ＤＥＰＬＯＹＭＥＮＴ  ＡＲＲＡＮＧＥＭＥＮＴＳ」に開示されるものと共に使用されてもよい。
【００１５】
図示した態様において、ハンドル組立体５００は、臨床医により把持及び操作することが可能なピストルグリップ部分５０４を含むハンドルハウジング５０２を備えることができる。以下で簡潔に論じるように、ハンドル組立体５００は、様々な制御運動を生成して交換式外科用道具組立体１０００の対応する部分に適用するように構成された複数の駆動システムを動作可能に支持する。図２に示すように、ハンドル組立体５００は、複数の駆動システムを動作可能に支持するハンドルフレーム５０６を更に含むことができる。例えば、ハンドルフレーム５０６は、全般的に５１０として示される「第１の」、又は閉鎖駆動システムを動作可能に支持することができ、これを用いて、交換式外科用道具組立体１０００に開閉運動を適用することができる。少なくとも１つの形態では、閉鎖駆動システム５１０は、ハンドルフレーム５０６により枢動可能に支持される閉鎖トリガ５１２の形態のアクチュエータを含んでもよい。このような構成により、臨床医が閉鎖トリガ５１２を操作することが可能になり、これにより、臨床医がハンドル組立体５００のピストルグリップ部分５０４を把持する場合に、閉鎖トリガ５１２は、開始位置又は「非作動」位置から「作動」位置へ、より具体的には完全圧縮位置又は完全作動位置へと、容易に枢動できるようになっている。使用中、閉鎖駆動システム５１０を作動させるために、臨床医は、閉鎖トリガ５１２を、ピストルグリップ部分５０４に向かって押し下げる。参照によって全体内容が本明細書に組み込まれる、米国特許出願第１４／２２６，１４２号、発明の名称「ＳＵＲＧＩＣＡＬ  ＩＮＳＴＲＵＭＥＮＴ  ＣＯＭＰＲＩＳＩＮＧ  Ａ  ＳＥＮＳＯＲ  ＳＹＳＴＥＭ」（現在は米国特許出願公開第２０１５／０２７２５７５号）に更に詳細に記載されるように、臨床医が閉鎖トリガ５１２を完全に押し下げ、完全に閉じたストロークを達成するとき、閉鎖駆動システム５１０は、閉鎖トリガ５１２を、完全に押し下げられた位置又は完全に作動した位置にロックするように構成されている。臨床医が閉鎖トリガ５１２をロック解除して非作動位置へと付勢させるように所望する場合、臨床医は、単純に、閉鎖解放ボタン組立体５１８を活性化させ、これにより、閉鎖トリガを非作動位置まで戻すことが可能である。閉鎖解放ボタン組立体５１８はまた、閉鎖トリガ５１２の位置を追跡するために、ハンドル組立体５００内のマイクロコントローラと連通する様々なセンサと相互作用するように構成されてもよい。閉鎖解放ボタン組立体５１８の構成及び動作に関する更なる詳細は、米国特許出願公開第２０１５／０２７２５７５号に見出すことができる。
【００１６】
少なくとも１つの形態では、ハンドル組立体５００及びハンドルフレーム５０６は、取り付けられている交換式外科用道具組立体の対応する部分に発射運動を適用するように構成されている、本明細書で発射駆動システム５３０と呼ばれる別の駆動システムを動作可能に支持していてもよい。米国特許出願公開第２０１５／０２７２５７５号に詳細に記載されるように、発射駆動システム５３０は、ハンドル組立体５００のピストルグリップ部分５０４内に位置する電動モータ５０５を使用してもよい。様々な形態では、モータ５０５は、最大回転数が例えば約２５，０００ＲＰＭのブラシ付きＤＣ駆動モータであってもよい。別の構成において、モータ５０５はブラシレスモータ、コードレスモータ、同期モータ、ステッパモータ、又は任意の他の好適な電動モータを含んでよい。モータ５０５は、電源５２２によって給電されてもよく、電源５２２は、一形態では、着脱可能なパワーパックを備えてもよい。パワーパックは、その中にある複数のリチウムイオン（「ＬＩ」）電池又は他の好適な電池を支持してもよい。直列に接続された多数の電池を、外科用システム１０のための電源５２２として使用してよい。加えて、電源５２２は、交換可能及び／又は再充電可能であってもよい。
【００１７】
電動モータ５０５は、長手方向に移動可能な駆動部材５４０（図３）を、モータの極性に応じて、遠位方向及び近位方向で軸方向に駆動させるように構成されている。例えば、電動モータ５０５がある回転方向に駆動すると、長手方向に移動可能な駆動部材５４０は、遠位方向「ＤＤ」に軸方向に駆動することになる。モータ５０５が、反対の回転方向に駆動すると、長手方向に移動可能な駆動部材５４０は、近位方向「ＰＤ」に軸方向に駆動することになる。ハンドル組立体５００は、スイッチ５１３を含んでもよく、スイッチ５１３は、電源５２２によって電動モータ５０５に適用される極性を逆転させるか、又は別の方法でモータ５０５を制御するように構成されてもよい。ハンドル組立体５００はまた、駆動部材の位置及び／又は駆動部材が移動する方向を検出するように構成されている、１つ又は複数のセンサ（図示せず）を含むことができる。モータ５０５の作動は、閉鎖トリガ５１２に隣接しており、ハンドル組立体５００上で枢動可能に支持される、発射トリガ（図示せず）により制御可能である。発射トリガは、非作動位置と作動位置との間で枢動されてよい。発射トリガは、バネ若しくはその他の付勢構成により非作動位置へと付勢されてよく、これにより、臨床医が発射トリガを解放する場合に、それがバネ若しくは付勢構成により非作動位置へと枢動する、又は別の方法で戻されてよい。少なくとも１つの形態では、発射トリガは、閉鎖トリガ５１２の「機外」に配置され得る。米国特許出願公開第２０１５／０２７２５７５号に記載されるように、ハンドル組立体５００には、発射トリガの不注意による作動を防ぐために、発射トリガ安全ボタン（図示せず）が設けられていてもよい。閉鎖トリガ５１２が非作動位置にある場合、安全ボタンはハンドル組立体５００の中に入っており、臨床医は、これに容易に触ることができず、発射トリガの作動を防ぐ安全位置と、発射トリガが発射し得る発射位置との間を移動させることはできない。臨床医が閉鎖トリガ５１２を押圧する際に、安全ボタン及び発射トリガが下方に枢動し、次に、臨床医による操作が可能になる。
【００１８】
少なくとも１つの形態では、長手方向に移動可能な駆動部材５４０は、モータと連係する対応する駆動歯車構成（図示せず）との噛み合い係合ために、その上に形成された歯のラック５４２を有してよい。図３を参照されたい。これらの特徴に関する更なる詳細は、米国特許出願公開第２０１５／０２７２５７５号に見出すことができる。しかし、少なくとも１つの構成において、長手方向に移動可能な駆動部材５４０は、不注意によるＲＦエネルギーからその構成を保護するために絶縁されている。少なくとも１つの形態はまた、臨床医が長手方向に移動可能な駆動部材５４０を手動で後退させ、モータ５０５を使用できないようにすることが可能なように構成された、手動で作動可能な「緊急離脱」ア組立体を含む。緊急離脱組立体は、解放可能なドア部５５０の下のハンドル組立体５００内に格納されたレバー又は緊急離脱ハンドル組立体を含んでもよい。図２を参照されたい。レバーは、駆動部材内の歯とラチェット係合するように、手動で枢動するように構成されてもよい。したがって、臨床医は、緊急離脱ハンドル組立体を使用して駆動部材５４０を手動で後退させ、駆動部材を近位方向「ＰＤ」にラチェットさせることができる。その開示全体が本明細書に参照により組み込まれている、米国特許第８，６０８，０４５号（表題「ＰＯＷＥＲＥＤ  ＳＵＲＧＩＣＡＬ  ＣＵＴＴＩＮＧ  ＡＮＤ  ＳＴＡＰＬＩＮＧ  ＡＰＰＡＲＡＴＵＳ  ＷＩＴＨ  ＭＡＮＵＡＬＬＹ  ＲＥＴＲＡＣＴＡＢＬＥ  ＦＩＲＩＮＧ  ＳＹＳＴＥＭ」）は、本明細書にて開示した様々な交換式外科用道具組立体のいずれか１つと共に使用可能でもある、緊急離脱構成、並びに他の構成要素、構成、及びシステムについて開示している。
【００１９】
図示した態様において、交換式外科用道具組立体１０００は、第１ジョー１６００及び第２ジョー１８００を備える外科用エンドエフェクタ１５００を含む。ある構成において、第１ジョー１６００は、中に従来の（機械式）外科用ステープル／締結具カートリッジ１４００（図４）、又は高周波（ＲＦ）カートリッジ１７００（図１及び図２）を動作可能に支持するように構成された細長通路１６０２を備える。第２ジョー１８００は、細長通路１６０２に対して枢動可能に支持されるアンビル１８１０を備える。アンビル１８１０は、閉鎖駆動システム５１０を作動させることにより、開位置と閉位置の間を、細長通路１６０２内で支持された外科用カートリッジに向かうように、及びそこから離れるように選択的に移動されてもよい。図示した構成において、アンビル１８１０は、シャフト軸ＳＡを横断する枢動軸を中心に選択的枢動移動のために、細長通路１６０２の近位端部分に枢動可能に支持される。閉鎖駆動システム５１０の作動により、関節運動コネクタ１９２０に取り付けられた、近位閉鎖部材又は近位閉鎖管１９１０の遠位軸移動がもたらされ得る。
【００２０】
図４に戻ると、関節運動コネクタ１９２０は、エンドエフェクタ閉鎖スリーブ又は遠位閉鎖管セグメント１９３０に移動可能に連結される関節運動コネクタ１９２０の遠位端から遠位に突出する上部突出部１９２２及び下部突出部１９２４を含む。図３を参照されたい。遠位閉鎖管セグメント１９３０は、上部突出部１９３２、及び上部突出部１９３２の近位端から近位に突出する下部突出部（図示せず）を含む。上部二重枢動リンク１９４０は、それぞれ関節運動コネクタ１９２０及び遠位閉鎖管セグメント１９３０の上部突出部１９２２、１９３２の対応する穴と係合する、近位ピン１９４１及び遠位ピン１９４２を含む。同様に、下部二重枢動リンク１９４４は、それぞれ関節運動コネクタ１９２０及び遠位閉鎖管セグメント１９３０の下部突出部１９２４の対応する穴と係合する、近位ピン１９４５及び遠位ピン１９４６を含む。
【００２１】
依然として図４を参照すると、図示した例において、遠位閉鎖管セグメント１９３０は、アンビル１８１０の対応する部分と対応し、遠位閉鎖管セグメント１９３０が開始位置に向かって近位方向ＰＤに後退すると、アンビル１８１０に開運動を適用する、正ジョー開口部特徴部又はタブ１９３６、１９３８を含む。アンビル１８１０の開閉に関する更なる詳細は、その開示全体が参照により本明細書に組み込まれている、同日に出願された米国特許出願（表題「ＳＵＲＧＩＣＡＬ  ＩＮＳＴＲＵＭＥＮＴ  ＷＩＴＨ  ＰＯＳＩＴＩＶＥ  ＪＡＷ  ＯＰＥＮＩＮＧ  ＦＥＡＴＵＲＥＳ」）（代理人整理番号ＥＮＤ８２０８ＵＳＮＰ／１７００９６）に見出すことができる。
【００２２】
図５に示すように、少なくとも１つの構成において、交換式外科用道具組立体１０００は、上にノズル組立体１２４０を動作可能に支持する道具シャーシ１２１０を備える、道具フレーム組立体１２００を含む。その全体が参照により本明細書に組み込まれている、同日に出願された米国特許出願（表題「ＳＵＲＧＩＣＡＬ  ＩＮＳＴＲＵＭＥＮＴ  ＷＩＴＨ  ＡＸＩＡＬＬＹ  ＭＯＶＡＢＬＥ  ＣＬＯＳＵＲＥ  ＭＥＭＢＥＲ」）（代理人整理番号ＥＮＤ８２０９ＵＳＮＰ／１７００９７）にて更に詳細に論じられるように、道具シャーシ１２１０及びノズル構成１２４０は、道具シャーシ１２１０に対してシャフト軸ＳＡを中心にした外科用エンドエフェクタ１５００の回転を容易にする。このような回転移動は、図１において矢印Ｒにより示される。図４及び図５にもまた示すように、交換式外科用道具組立体１０００は、近位閉鎖管１９１０を動作可能に支持するスパイン組立体１２５０を含み、外科用エンドエフェクタ１５００に連結されている。様々な状況において、組み立てを容易にするために、スパイン組立体１２５０は、スナップ形成体、接着剤、溶接などにより互いに接続された、上部スパインセグメント１２５１及び下部スパインセグメント１２５２から作製可能である。組み立てられた形態において、スパイン組立体１２５０は、道具シャーシ１２１０内に回転可能に支持される近位端１２５３を含む。ある構成では例えば、スパイン組立体１２５０の近位端１２５３は、道具シャーシ１２１０内で支持されるように構成されたスパインベアリング（図示せず）に結合されている。このような構成により、スパイン組立体１２５０の道具シャーシへの取り付けが容易になり、スパイン組立体１２５０が道具シャーシ１２１０に対してシャフト軸ＳＡを中心に選択的に回転可能となる。
【００２３】
図４に示すように、上部スパインセグメント１２５１は上部ラグ固定特徴部１２６０で終了し、下部スパインセグメント１２５２は、下部ラグ固定特徴部１２７０で終了する。上部ラグ固定特徴部１２６０は、中に上部固定リンク１２６４を固定するように支持するように適合された、ラグスロット１２６２が中に形成される。同様に、下部ラグ固定特徴部１２７０は、中に下部固定リンク１２７４を固定するように支持するように適合された、ラグスロット１２７２が中に形成される。上部固定リンク１２６４は、シャフト軸ＳＡからずれた枢動ソケット１２６６を中に含む。枢動ソケット１２６６は、中に、通路キャップ上に形成された枢動ピン１６３４、又は細長通路１６０２の近位端部分１６１０に取り付けられた通路キャップ又はアンビル保持装置１６３０を回転可能に受容するように適合されている。下部固定リンク１２７４は、細長通路１６０２の近位端部分１６１０内に形成された枢動穴１６１１内に受容されるように適合された、下部枢動ピン１２７６を含む。下部枢動ピン１２７６及び枢動穴１６１１は、シャフト軸ＳＡからずれている。下部枢動ピン１２７６は枢動ソケット１２６６と垂直に連動し、それを中心として外科用エンドエフェクタ１５００がシャフト軸ＳＡに対して関節運動し得る関節運動軸ＡＡを画定する。図１を参照されたい。関節運動軸ＡＡはシャフト軸ＳＡを横断するものの、少なくとも１つの構成において、関節運動軸ＡＡはシャフト軸ＳＡから水平にずれており、シャフト軸ＳＡと交差しない。
【００２４】
図５に戻ると、近位閉鎖管１９１０の近位端１９１２は、近位閉鎖管セグメント１９１０内の環状溝１９１５に位置するコネクタ１９１６により、閉鎖シャトル１９１４に回転可能に連結されている。閉鎖シャトル１９１４は道具シャーシ１２１０内で軸移動のために支持され、道具シャーシ１２１０がハンドルフレーム５０６に連結されたときに閉鎖駆動システム５１０に係合するように構成された一対のフック１９１７を、閉鎖シャトル１９１４上に有する。道具シャーシ１２１０は、道具シャーシ１２１０をハンドルフレーム５０６に解放可能に掛け留めするための掛留組立体１２８０を、更に支持する。道具シャーシ１２１０及び掛留組立体１２８０に関する更なる詳細は、その開示全体が参照により本明細書に組み込まれている、同日に出願された表題「ＳＵＲＧＩＣＡＬ  ＩＮＳＴＲＵＭＥＮＴ  ＷＩＴＨ  ＡＸＩＡＬＬＹ  ＭＯＶＡＢＬＥ  ＣＬＯＳＵＲＥ  ＭＥＭＢＥＲ」の米国特許出願（代理人整理番号ＥＮＤ８２０９ＵＳＮＰ／１７００９７）に見出すことができる。
【００２５】
ハンドル組立体５００内の発射駆動システム５３０は、交換式外科用道具組立体１０００内で動作可能に支持された発射システム１３００に、動作可能に連結されるように構成されている。発射システム１３００は、発射駆動システム５３０により適用される、対応する発射運動に応答して、遠位方向及び近位方向に軸移動されるように構成された、中間発射シャフト部分１３１０を含むことができる。図４を参照されたい。図５に示すように、中間発射シャフト部分１３１０の近位端１３１２は、ハンドル組立体５００内の発射駆動システム５３０の長手方向に移動可能な駆動部材５４０の遠位端の上にある、取り付けクレードル５４４（図３）内に封止されるように構成された、近位端１３１２の上に形成された発射シャフト取り付けラグ１３１４を有する。このような構成により、発射駆動システム５３０の作動時に、中間発射シャフト部分１３１０の軸移動が容易になる。図示した例において、中間発射シャフト部分１３１０は、遠位切断部分又はナイフバー１３２０に取り付けられるように構成されている。図４に示すように、ナイフバー１３２０は、発射部材又はナイフ部材１３３０に接続されている。ナイフ部材１３３０は、その上に組織切断刃１３３４を動作可能に支持する、ナイフ本体１３３２を備える。ナイフ本体１３３２は、アンビル係合タブ又は特徴部１３３６、及び通路係合特徴部又は足部１３３８を更に含むことができる。アンビル係合特徴部１３３６は、ナイフ部材１３３０がエンドエフェクタ１５００を通って遠位に前進したときに、更なる閉鎖運動をアンビル１８１０に適用するように機能し得る。
【００２６】
図示した例において、外科用エンドエフェクタ１５００は関節運動システム１３６０により、関節運動軸ＡＡを中心として選択的に関節運動可能である。一形態において、関節運動システム１３６０は、関節運動リンク１３８０に枢動可能に連結された近位関節運動ドライバ１３７０を含む。図４に最も具体的に確認できるように、ずれ取り付けラグ１３７３が、近位関節運動ドライバ１３７０の遠位端１３７２に形成される。枢動穴１３７４がずれ取り付けラグ１３７３の中に形成され、関節運動リンク１３８０の近位端１３８１に形成された近位リンクピン１３８２を、中に枢動可能に受容するように構成されている。関節運動リンク１３８０の遠位端１３８３は、細長通路１６０２の近位端部分１６１０に形成された通路ピン１６１８を、中に枢動可能に受容するように構成された枢動穴１３８４を含む。したがって、近位関節運動ドライバ１３７０の軸移動により、関節運動が細長通路１６０２に適用され、これによって、外科用エンドエフェクタ１５００がスパイン組立体１２５０に対して、関節運動軸ＡＡを中心に関節移動する。様々な状況において、近位関節運動ドライバ１３７０が近位方向又は遠位方向に移動していないときに、近位関節運動ドライバ１３７０が、関節運動ロック１３９０により、所定の位置で維持されてもよい。関節運動ロック１３９０の例示的な形態に関する更なる詳細は、その開示全体が参照により本明細書に組み込まれている、同日に出願された米国特許出願（表題「ＳＵＲＧＩＣＡＬ  ＩＮＳＴＲＵＭＥＮＴ  ＣＯＭＰＲＩＳＩＮＧ  ＡＮ  ＡＲＴＩＣＵＬＡＴＩＯＮ  ＳＹＳＴＥＭ  ＬＯＣＫＡＢＬＥ  ＴＯ  Ａ  ＦＲＡＭＥ」）（代理人整理番号ＥＮＤ８２１７ＵＳＮＰ／１７０１０２）に見出すことができる。
【００２７】
上記に加えて更に、交換式外科用道具組立体１０００は、近位関節運動ドライバ１３１０を発射システム１３００に選択的にかつ解放可能に連結するように構成することができる、シフタ組立体１１００を含む。図５に示すように、例えば、一形態において、シフタ組立体１１００は、発射システム１３００の中間発射シャフト部分１３１０の周りに配置された、ロックカラー、又はロックスリーブ１１１０を含み、ロックスリーブ１１１０は、ロックスリーブ１１１０が近位関節運動ドライバ１３７０を発射部材組立体１３００に動作可能に連結させる係合位置と、近位関節運動ドライバ１３７０が発射部材組立体１３００に動作可能に連結されない係合解除位置との間を回転することができる。ロックスリーブ１１１０が係合位置にあるとき、発射部材組立体１３００が遠位に移動することにより、近位関節運動ドライバ１３７０が遠位に移動することができ、これに対応して、発射部材組立体１３００が近位に移動することにより、近位関節運動ドライバ１３７０が近位に移動することができる。ロックスリーブ１１１０がその係合解除位置にあるとき、発射部材組立体１３００の移動は近位関節運動ドライバ１３７０に伝達されず、その結果、発射部材組立体１３００は近位関節運動ドライバ１３７０から独立して移動することができる。様々な状況下では、近位関節運動ドライバ１３７０は、近位関節運動ドライバ１３７０が発射部材組立体１３００によって近位方向又は遠位方向に移動されていないとき、関節運動ロック１３９０によって所定の位置に保持され得る。
【００２８】
図示した構成において、発射部材組立体１３００の中間発射シャフト部分１３１０は、中に駆動ノッチ１３１６が形成された、２つの対向する平坦な側面を有して形成される。図５を参照されたい。図５でもまた確認できるように、ロックスリーブ１１１０は、中間発射シャフト部分１３１０を受容するように構成された長手方向アパーチャを含む、円筒形、又は少なくとも実質的に円筒形の本体を備える。ロックスリーブ１１１０は、ロックスリーブ１１１０がある位置にあるときに、中間発射シャフト部分１３１０内の駆動ノッチ１３１６の対応する部分の中に係合可能に受容され、別の位置にあるときに、駆動ノッチ１３１６内には受容されない、直径の反対方向に内側に向き合う、ロック突出部を備えることができ、これにより、ロックスリーブ１１１０と中間発射シャフト１３１０との間での、相対的な軸運動を可能にする。図５に更に確認できるように、ロックスリーブ１１１０は、近位関節運動ドライバ１３７０の近位端のノッチ１３７５内に移動可能に受容されるような寸法である、ロック部材１１１２を更に含む。このような構成により、近位関節運動ドライバ１３７０内でのノッチ１３７５との係合のために、適切な位置に残りながら、又は係合しながら、ロックスリーブ１１１０はわずかに回転して、中間発射シャフト部分１３１０と係合し、係合解除することができる。例えば、ロックスリーブ１１１０がその係合位置にある場合、ロック突出部は、中間発射シャフト部分１３１０の駆動ノッチ１３１６内に配置され、これにより、遠位押力及び／又は近位引張力が発射部材組立体１３００からロックスリーブ１１１０へと伝達され得る。このような軸方向の押運動、又は引張運動は次に、ロックスリーブ１１１０から近位関節運動ドライバ１３７０へと伝達されることにより、外科用エンドエフェクタ１５００を関節運動させる。実際には、発射部材組立体１３００、ロックスリーブ１１１０、及び近位関節運動ドライバ１３７０は、ロックスリーブ１１１０がその係合（関節運動）位置にあるときに共に移動する。他方で、ロックスリーブ１１１０がその係合解除位置にあるとき、ロック突出部は中間発射シャフト部分１３１０の駆動ノッチ１３１６内には受容されず、結果的に、遠位押力及び／又は近位引張力は、発射部材組立体１３００からロックスリーブ１１１０（そして、近位関節運動ドライバ１３７０）に伝達され得ない。
【００２９】
図示した例において、係合位置と係合解除位置との間での、ロックスリーブ１１１０の相対移動は、近位閉鎖管１９１０と連係するシフタ組立体１１００により、制御されてもよい。依然として図５を参照すると、シフタ組立体１１００は、ロックスリーブ１１１０の外側周辺に形成された鍵溝内に摺動可能に受容されるように構成された、シフタキー１１２０を更に含む。このような構成により、シフタキー１１２０がロックスリーブ１１１０に対して軸移動することが可能となる。その開示全体が参照により本明細書に組み込まれている、同日に出願された米国特許出願（表題「ＳＵＲＧＩＣＡＬ  ＩＮＳＴＲＵＭＥＮＴ  ＷＩＴＨ  ＡＸＩＡＬＬＹ  ＭＯＶＡＢＬＥ  ＣＬＯＳＵＲＥ  ＭＥＭＢＥＲ」）（代理人整理番号ＥＮＤ８２０９ＵＳＮＰ／１７００９７）に更に詳細に論じられているように、シフタキー１１２０の一部は、近位閉鎖管部分１９１０内でカム開口部（図示せず）とカム作用により相互作用するように、構成されている。また、図示した例では、シフタ組立体１１００は、近位閉鎖管部分１９１０の近位端部分に回転可能に受容される、スイッチドラム１１３０を更に含む。シフタキー１１２０の一部は、スイッチドラム１１３０内の軸スロットセグメントを通って延び、スイッチドラム１１３０内の弓状スロットセグメント内に移動可能に受容される。スイッチドラムねじりバネ１１３２がスイッチドラム１１３０に固定され、ノズル組立体１２４０の一部に係合して、近位閉鎖管部分１９１０内のカム開口部の端部部分にシフタキー１１２０の一部が到達するまで、スイッチドラム１１３０を回転させる役割を果たすねじれ付勢又は回転を適用する。この位置にあるとき、スイッチドラム１１３０はねじれ付勢をシフタキー１１２０にもたらすことにより、ロックスリーブ１１１０を回転させて、中間発射シャフト部分１３１０との係合位置にする。この位置はまた、近位閉鎖管１９１０（及び、遠位閉鎖管セグメント１９３０）の非作動構成に対応している。
【００３０】
ある構成では例えば、近位閉鎖管１９１０が非作動構成にある（アンビル１８１０が、細長通路１６０２に固定されたカートリッジから離れて開位置にある）とき、中間発射シャフト部分１３１０が作動することにより、近位関節運動ドライバ１３７０が軸移動し、エンドエフェクタ１５００の関節運動が容易になる。ユーザが外科用エンドエフェクタ１５００を所望の向きに関節運動させると、次いでユーザは、近位閉鎖管部分１９１０を作動させることができる。近位閉鎖管部分１９１０を作動させることにより、遠位閉鎖管セグメント１９３０の遠位移動がもたされ、最終的に閉鎖運動がアンビル１８１０に適用される。近位閉鎖管部分１９１０のこの遠位移動により、その中のカム開口部において、シフタキー１１２０のカム部分とのカム作用による相互作用がもたされることにより、シフタキー１１２０が作動方向に、ロックスリーブ１１１０を回転させる。ロックスリーブ１１１０のこのような回転により、中間発射シャフト部分１３１０内で、駆動ノッチ１３１６からロック突出部が係合解除される。このような構成にあるとき、発射駆動システム５３０が作動して、近位関節運動ドライバ１３７０を作動させることなく、中間発射シャフト部分１３１０を作動させることができる。スイッチドラム１１３０及びロックスリーブ１１１０の動作、並びに、本明細書で記載される様々な交換式外科用道具組立体と共に用いることができる、代替の関節運動及び発射駆動構成に関する更なる詳細は、これらの開示全体が、参照により本明細書に組み込まれる、米国特許出願第１３／８０３，０８６号（現在は米国特許公開第２０１４／０２６３５４１号）及び米国特許出願第１５／０１９，１９６号に見出すことができる。
【００３１】
図５及び図１５にもまた示すように、交換式外科用道具組立体１０００は、ノズル組立体１２４０を回転させることにより、道具シャーシ１２１０に対するシャフト軸ＳＡを中心にしたシャフト及びエンドエフェクタ１５００の回転移動を容易にしながら、電力を外科用エンドエフェクタ１５００に／から伝えし、かつ／又は、外科用エンドエフェクタ１５００に／から、信号を通信するように構成可能な、搭載された回路基板１１５２の背後にある、スリップリング組立体１１５０を備えることができる。図１５に示すように、少なくとも１つの構成において、搭載された回路基板１１５２は、例えば、ハンドル組立体５００又はロボットシステムコントローラ内で支持されるマイクロプロセッサ５６０と通信する、ハウジングコネクタ５６２（図９）と連係するように構成された、搭載されたコネクタ１１５４を含む。スリップリング組立体１１５０は、搭載された回路基板１１５２と連係する近位コネクタ１１５３と連係するように構成されている。スリップリング組立体１１５０及び関連するコネクタに関する更なる詳細は、それらの各全体が本明細書に参考として組み込まれる、米国特許出願第１３／８０３，０８６号、現在は米国特許出願公開第２０１４／０２６３５４１号、及び米国特許出願第１５／０１９，１９６号、並びにその全体が参照として本明細書に組み込まれる、米国特許出願第１３／８００，０６７号、発明の名称「ＳＴＡＰＬＥ  ＣＡＲＴＲＩＤＧＥ  ＴＩＳＳＵＥ  ＴＨＩＣＫＮＥＳＳ  ＳＥＮＳＯＲ  ＳＹＳＴＥＭ」（現在は米国特許出願公開第２０１４／０２６３５５２号）に見出され得る。
【００３２】
本明細書で開示した交換式外科用道具組立体１０００の例示的なバージョンを、ナイフ部材により組織の切断を容易にし、切断組織を、高周波（ＲＦ）エネルギーを用いて封止するように構成された、標準的な（機械式）外科用締結具カートリッジ１４００又はカートリッジ１７００と共に使用することができる。図４に再び戻ると、従来の、又は標準的な機械式カートリッジ１４００が示されている。このようなカートリッジ構成は既知であり、細長通路１６０２内で着脱可能に受容され支持されるような寸法、及び形状である、カートリッジ本体１４０２を備えることができる。例えば、カートリッジ本体１４０２は、細長通路１６０２とスナップ係合して、着脱可能に保持されるように構成されてもよい。カートリッジ本体１４０２は細長スロット１４０４を含み、このスロットを通して、ナイフ部材１３３０の軸移動に適応する。カートリッジ本体１４０２は、中央に配置された細長スロット１４０４の各側面の列に位置合わせされた複数のステープルドライバ（図示せず）をその内部に動作可能に支持する。ドライバは、カートリッジ本体１４０２の上部デッキ表面１４１０を通って開いている、対応するステープル／締結具ポケット１４１２と関連付けられる。ステープルドライバのそれぞれは、１つ以上の外科用ステープル又は締結具（図示せず）を支持する。スレッド組立体１４２０がカートリッジ本体１４０２の近位端内で支持されており、カートリッジ１４００が新しいものであり、発射されていないときには、開始位置においてドライバ及び締結具に近位に位置している。スレッド組立体１４２０は、複数の傾斜した又は楔形のカム１４２２を含み、各カム１４２２は、スロット１４０４の側面上に位置する締結具又はドライバの特定のラインに対応する。スレッド組立体１４２０は、アンビルとカートリッジデッキ表面１４１０との間でクランプ留めされた組織を通ってナイフ部材が遠位に駆動されるときに、ナイフ部材１３３０により接触され駆動されるように構成されている。ドライバがカートリッジデッキ表面１４１０に向けて上向きに駆動されると、その上で支持されている締結具（単数又は複数）は、ステープルポケット１４１２から、アンビルとカートリッジとの間でクランプ留めされた組織を通って駆動される。
【００３３】
依然として図４を参照すると、少なくとも１つの形態のアンビル１８１０は、水平に突出し、細長通路１６０２の近位端部分１６１０の直立壁１６２２に形成された、対応するトラニオンクレードル１６１４の中に枢動可能に受容される、一対のアンビルトラニオン１８２２を有するアンビル固定部分１８２０を含む。アンビルトラニオン１８２２は、通路キャップ又はアンビル保持装置１６３０により、対応するトラニオンクレードル１６１４内で枢動可能に保持される。アンビル固定部分１８２０は、シャフト軸ＳＡを横断する、固定されたアンビル枢動軸を中心にしたアンビル固定部分１８２０に対する選択的な枢動移動のために、細長通路１６０２の上で、移動可能に、又は枢動可能に支持される。図６及び図７に示すように、少なくとも１つの形態において、アンビル１８１０は、例えば導電性金属材料から作製されるアンビル本体部分１８１２を含み、中にナイフ部材１３３０を摺動可能に収容するように構成された中央に配置されたアンビルスロット１８１５の各側面に、中に形成された一連の締結具形成ポケット１８１４を有するステープル形成下面１８１３を有する。アンビルスロット１８１５は、アンビル本体１８１２を通って長手方向に延びる上部開口部１８１６へと開口し、発射の間、ナイフ部材１３３０上にアンビル係合特徴部１３３６を収容する。従来の機械式外科用ステープル／締結具カートリッジ１４００が細長通路１６０２内に取り付けられると、ステープル／締結具は組織Ｔを通って駆動され、対応する締結具形成ポケット１８１４との接触を形成する。アンビル本体１８１２は上部に開口部を有し、例えば取り付けを容易にすることができる。アンビルキャップ１８１８を中に挿入し、アンビル本体１８１２に溶接して開口部を取り囲み、アンビル本体１８１２の全体の剛性を改善することができる。図７に示すように、ＲＦカートリッジ１７００と共にエンドエフェクタ１５００の使用を容易にするために、締結具形成下面１８１３の組織に面しているセグメント１８１７は、その上に電気絶縁性材料１８１９を有してよい。
【００３４】
図示した構成において、交換式外科用道具組立体１０００は、全般的に１６４０として示される発射部材ロックアウトシステムと共に構成される。図８を参照されたい。図８に示すように、細長通路１６０２は、突出する２つの直立側壁１６２２を有する底部表面又は底部１６２０を含む。中央に配置された長手方向通路スロット１６２４は底部１６２０を通して形成され、ナイフ部材１３３０がスロットを通って軸移動することを容易にする。通路スロット１６２４は、ナイフ部材１３３０上に通路係合特徴部又は足部１３３８を収容する長手方向パッセージ１６２６へと開口している。パッセージ１６２６は、通路係合特徴部又は足部１３３８の対応する部分に係合する役割を果たす、内側に延びる２つの出っ張り部分１６２８を画定する役割を果たす。発射部材ロックアウトシステム１６４０は、ナイフ部材１３３０が開始位置にあるときに、それぞれが、通路係合特徴部又は足部１３３８の対応する部分を受容するように構成された、通路スロット１６２４の各側面に位置する近位開口部１６４２を含む。ナイフロックアウトバネ１６５０は、細長通路１６０２の近位端１６１０で支持され、ナイフ部材１３３０を下に向かって付勢する役割を果たす。図８に示すように、ナイフロックアウトバネ１６５０は、ナイフ本体１３３２上に、対応する中央通路係合特徴部１３３７に係合するように構成された、２つの遠位末端バネアーム１６５２を含む。バネアーム１６５２は、中央通路係合特徴部１３３７を下に向かって付勢するように構成されている。したがって、開始（未発射位置）にあるときに、ナイフ部材１３３０は下向きに付勢され、通路係合特徴部又は足部１３３８は、細長１６０２通路の対応する近位開口部１６４２内に受容される。そのロック位置にあるとき、ナイフ１３３０を遠位に前進させようとすると、中央通路係合特徴部１１３７及び／又は足部１３３８は、細長通路１６０２上で直立した出っ張り１６５４と係合し（図８及び図１１）、ナイフ１３３０は発射できなくなる。
【００３５】
依然として図８を参照すると、発射部材ロックアウトシステム１６４０は、発射部材本体１３３２の遠位端に形成された、又はそこで支持された、ロック解除組立体１６６０もまた含む。ロック解除組立体１６６０は、スレッド組立体１４２０が、未発射の外科用ステープルカートリッジ１４００にて開始位置にあるときに、スレッド組立体１４２０に形成されたロック解除特徴部１４２６に係合するように構成された、遠位に延びる出っ張り１６６２を含む。したがって、未発射の外科用ステープルカートリッジ１４００が細長通路１６０２に適切に取り付けられると、ロック解除組立体１６６０の出っ張り１６６２が、ナイフ部材１３３０を上向きに付勢する役割を果たすスレッド組立体１４２０上でロック解除特徴部１４２６と接触し、中央通路係合特徴部１１３７及び／又は足部１３３８が、通路底部１６２０内で直立した出っ張り１６５４を取り除き、ナイフ部材１３３０の細長通路１６０２を通っての軸通過を容易にする。部分的に発射されたカートリッジ１４００が細長通路に、知らぬ間に取り付けられた場合、スレッド組立体１４２０は開始位置にはなく、ナイフ部材１３３０はロック位置にとどまる。
【００３６】
ここから、ハンドル組立体５００への交換式外科用道具組立体１０００の取り付けについて、図３及び図９を参照して記載する。連結プロセスを開始するために、臨床医は、道具シャーシ１２１０上に形成された先細取り付け部分１２１２がハンドルフレーム５０６のダブテールスロット５０７と整列するように、交換式外科用道具組立体１０００の道具シャーシ１２１０をハンドルフレーム５０６の遠位端の上方に、又はそれに隣接して配置してもよい。臨床医は、次いで、先細取り付け部分１２１２を、ハンドルフレーム５０６の遠位端の対応するダブテール受容スロット５０７と「動作可能に係合」した状態で着座させるように、外科用道具組立体１０００をシャフト軸ＳＡに垂直な取り付け軸ＩＡに沿って移動させてもよい。そうすることで、中間発射シャフト部分１３１０上の発射シャフト取り付けラグ１３１４もまた、ハンドル組立体５００内の長手方向に移動可能な駆動部材５４０のクレードル５４４内に着座され、閉鎖リンク５１４上にあるピン５１６の部分が、閉鎖シャトル１９１４の対応するフック１９１７内に着座される。本明細書で使用するとき、２つの構成要素の文脈における「動作可能な係合」という用語は、それら２つの構成要素が互いに十分に係合され、それにより、作動運動をそれらに適用すると、構成要素が意図される行為、機能、及び／又は手順を実施し得ることを意味する。本プロセス中にはまた、外科用道具組立体１０００の、搭載されたコネクタ１１５４が、例えばハンドル組立体５００又はロボットシステムコントローラ内で支持されたマイクロプロセッサ５６０と通信するハウジングコネクタ５６２に連結される。
【００３７】
通常の外科的処置の間、臨床医は、標的組織にアクセスするため、患者のトロカール又は他の開口部を通して、外科用エンドエフェクタ１５００を手術部位へと導入することができる。そうするとき、臨床医は、典型的には、シャフト軸ＳＡに沿って外科用エンドエフェクタ１５００を軸方向に整列させる（非関節運動状態）。外科用エンドエフェクタ１５００がトロカールポートを通過すると、例えば、臨床医には、エンドエフェクタ１５００を関節運動させて、標的組織に隣接させて有利に配置することが必要とされ得る。これは、アンビル１８１０が標的組織の上で閉じる前であるため、閉鎖駆動システム５１０は非作動のままである。この位置にあるとき、発射駆動システム５３０が作動することにより、関節運動が近位関節運動ドライバ１３７０に適用される。エンドエフェクタ１５００が所望の関節運動位置に達すると、発射駆動システム５３０は非活性化され、関節運動ロック１３９０が外科用エンドエフェクタ１５００を関節運動位置で保持することができる。次に臨床医は、閉鎖駆動システム５１０を作動させて、アンビル１８１０を標的組織の上で閉じることができる。閉鎖駆動システム５１０をこのように作動させることによってまた、シフタ組立体１１００が中間発射シャフト部分１３１０から近位関節運動ドライバ１３７０を分離することができる。したがって、標的組織が外科用エンドエフェクタ１５００で捕捉されると、臨床医は再び、発射駆動システム５３０を作動させて、発射部材１３３０を外科用ステープル／締結具カートリッジ１４００、又はＲＦカートリッジ１７００を通して軸方向に前進させ、クランプ留めした組織を切断し、ステープル／締結具を切断した組織Ｔに発射する。他の閉鎖及び発射装置構成、作動装置構成（共に手持ち型、手動、及び自動又はロボット式）もまた使用して、本開示の範囲を逸脱することなく、外科用道具組立体１０００の閉鎖システム構成要素、関節運動システム構成要素、及び／又は発射システム構成要素の軸移動を制御することができる。
【００３８】
上で示したとおり、外科用道具組立体１０００は、従来の機械式外科用ステープル／締結具カートリッジ１４００及びＲＦカートリッジ１７００と共に使用するように構成されている。少なくとも１つの形態において、ＲＦカートリッジ１７００は、凝固用電流を電流経路内の組織に送達しながら、ナイフ部材１３３０を用いて、アンビル１８１０とＲＦカートリッジ１７００との間でクランプ留めされた組織の機械的切断を容易にすることができる。組織を機械的に切断し、電流を用いて凝固させる代替的な構成はまた、例えば、米国特許第５，４０３，３１２号；同第７，７８０，６６３号、及び米国特許出願第１５／１４２，６０９号（表題「ＥＬＥＣＴＲＯＳＵＲＧＩＣＡＬ  ＩＮＳＴＲＵＭＥＮＴ  ＷＩＴＨ  ＥＬＥＣＴＲＩＣＡＬＬＹ  ＣＯＮＤＵＣＴＩＶＥ  ＧＡＰ  ＳＥＴＴＩＮＧ  ＡＮＤ  ＴＩＳＳＵＥ  ＥＮＧＡＧＩＮＧ  ＭＥＭＢＥＲＳ」）（上記それぞれの参照文献である開示全体は、本明細書に参照により組み込まれている）に開示されている。このような器具により、例えば、止血が改善され、外科的複雑性の減少並びに手術室にいる時間の減少がもたらされ得る。
【００３９】
図１０〜図１２に示すように、少なくとも１つの構成において、ＲＦ外科用カートリッジ１７００は、細長通路１６０２内で着脱可能に受容され支持されるような寸法、及び形状である、カートリッジ本体１７１０を含む。例えば、カートリッジ本体１７１０は、細長通路１６０２とスナップ係合して、着脱可能に保持されるように構成されてもよい。様々な構成において、カートリッジ本体１７１０はポリマー材料、例えば、液晶ポリマー（ＬＣＰ）ＶＥＣＴＲＡ（商標）などのエンジニアリング熱可塑性樹脂から作製可能であり、細長通路１６０２は金属から作製可能である。少なくとも一態様において、カートリッジ本体１７１０は、カートリッジ本体を通って長手方向に延び、ナイフ１３３０の長手方向移動を収容する、中央に配置された細長スロット１７１２を含む。図１０及び図１１に示すように、一対のロックアウト係合尾部１７１４は、カートリッジ本体１７１０から近位に延びる。各ロックアウト係合尾部１７１４は、通路底部１６２０の対応する近位開口部部分１６４２内に受容される寸法である、下側に形成されるロックアウトパッド１７１６を有する。したがって、カートリッジ１７００が細長通路１６０２に適切に取り付けられると、ロックアウト係合尾部１７１４は開口部１６４２及び出っ張り１６５４を覆い、ナイフ１３３０を、発射の準備ができたロック解除位置で保持する。
【００４０】
ここで、図１０〜図１３に戻ると、図示した例において、カートリッジ本体１７１０は、中央に配置された隆起電極パッド１７２０を有して形成されている。最も具体的には図６に確認できるように、細長スロット１７１２は、電極パッド１７２０の中心を通って延び、パッド１７２０を、左パッドセグメント１７２０Ｌと右パッドセグメント１７２０Ｒとに分割する役割を果たす。右側フレキシブル回路組立体１７３０Ｒは右パッドセグメント１７２０Ｒに取り付けられ、左側フレキシブル回路組立体１７３０Ｌは左パッドセグメント１７２０Ｌに取り付けられている。少なくとも１つの構成では、例えば、右側フレキシブル回路１７３０Ｒは、例えば、右側パッド１７２０Ｒに取り付けられた右側絶縁体シース／部材１７３４Ｒに支持された、取り付けられた、又は埋め込まれた、ＲＦ用の、幅広い導電体／導電体、及び、従来のステープル留め用の薄い導電体を含むことができる、複数の導電体１７３２Ｒを備える。更に、右側フレキシブル回路組立体１７３０Ｒは、「フェーズ１」、即ち近位右側電極１７３６Ｒ、及び「フェーズ２」、即ち遠位右側電極１７３８Ｒを含む。同様に、左側フレキシブル回路組立体１７３０Ｌは、例えば、左側パッド１７２０Ｌに取り付けられた左側絶縁体シース／部材１７３４Ｌに支持された、取り付けられた、又は埋め込まれた、ＲＦ用の、幅広い導電体／導電体、及び、従来のステープル留め用の薄い導電体を含むことができる、複数の導電体１７３２Ｌを備える。更に、左側フレキシブル回路組立体１７３０Ｌは、「フェーズ１」、即ち近位左側電極１７３６Ｌ、及び「フェーズ２」、即ち遠位左側電極１７３８Ｌを含む。左側導電体１７３２Ｌ及び右側導電体１７３２Ｒは、カートリッジ本体１７１０の遠位端部分に固定された遠位マイクロチップ１７４０に取り付けられている。ある構成では例えば、右側フレキシブル回路１７３０Ｒ及び左側フレキシブル回路１７３０Ｌはそれぞれ、約０．０２５インチの全体幅「ＣＷ」を有することができ、電極１７３６Ｒ、１７３６Ｌ、１７３８Ｒ、１７３８Ｒのそれぞれは、例えば約０．０１０インチの幅「ＥＷ」を有する。図１３を参照されたい。しかし、他の幅／寸法が想到され、代替の態様において用いられてよい。
【００４１】
少なくとも１つの構成では、ＲＦエネルギーは、従来のＲＦ発電機４００により、供給リード４０２を通って外科用道具組立体１０００に供給される。少なくとも１つの構成では、供給リード４０２は、搭載された回路基板１１５２上のセグメント化ＲＦ回路１１６０に取り付けられた、対応する雌型コネクタ４１０にプラグ接続されるように構成された、雄型プラグ組立体４０６を含む。図１５を参照されたい。このような構成により、発電機４００から供給リード４０２を巻回することなく、ノズル組立体１２４０を回転させることによって、道具シャーシ１２１０に対するシャフト軸ＳＡを中心にしたシャフト及びエンドエフェクタ１５００の回転移動が容易になる。搭載されたオン／オフ電源スイッチ４２０が、ＲＦ発電機のオンとオフとを切り替えるために、掛留組立体１２８０及び道具シャーシ１２１０上に支持されている。道具組立体１０００がハンドル組立体５００又はロボットシステムに動作可能に連結されているとき、搭載されたセグメント化ＲＦ回路１１６０は、コネクタ１１５４及び５６２を介してマイクロプロセッサ５６０と通信する。図１に示すように、ハンドル組立体５００は、封止、ステープル留め、ナイフ位置、カートリッジのステータス、組織、温度の進行に関する情報を確認するために表示スクリーン４３０もまた含むことができる。図１５でもまた確認できるように、スリップリング組立体１１５０は、フレキシブルシャフト回路ストリップを含む遠位コネクタ１１６２、又は、ＲＦ用に使用する、関係する活動及びより幅広い導電体１１６８をステープル留めするための、狭い複数の導電体１１６６を含み得る組立体１１６４と連係する。図１４及び図１５に示すように、フレキシブルシャフト回路ストリップ１１６４は、ナイフバー１３２０を形成する積層板又は積層されたバー１３２２の間で、中心で支持される。このような構成により、エンドエフェクタ１５００の関節運動の間に十分な硬さを残したまま、ナイフバー１３２０とフレキシブルシャフト回路ストリップ１１６４とを十分に撓曲させることが容易となり、ナイフ部材１３３０がクランプ留めされた組織を通して遠位に前進することが可能となる。
【００４２】
図１０に再び戻ると、少なくとも１つの図示した構成において、細長通路１６０２は、細長通路１６０２の近位端１６１０から、細長通路底部１６２０の遠位位置１６２３に延びるくぼみ１６２１内で支持された、通路回路１６７０を含む。通路回路１６７０は、電気接触のために、フレキシブルシャフト回路ストリップ１１６４の遠位接触部分１１６９と接触する近位接触部分１６７２を含む。通路回路１６７０の遠位端１６７４は、通路壁１６２２の１つに形成された、対応する壁のくぼみ１６２５内に受容され、折りたたまれ、通路壁１６２２の上部縁１６２７に取り付けられる。一連の、対応する露出した接触部１６７６は、図１０に示すように、通路回路１６７０の遠位端１６７４内に備えられる。図１０でもまた確認できるように、フレキシブルカートリッジ回路１７５０の端部１７５２は遠位マイクロチップ１７４０に取り付けられ、カートリッジ本体１７１０の遠位端部分に固定される。別の端部１７５４はカートリッジデッキ表面１７１１の縁を覆って折りたたまれ、通路回路１６７０の露出した接触部１６７６と電気接触するように構成された、露出した接触部１７５６を含む。したがって、ＲＦカートリッジ１７００が細長通路１６０２に取り付けられると、電極と遠位マイクロチップ１７４０が給電され、フレキシブルカートリッジ回路１７５０とフレキシブル通路回路１６７０とフレキシブルシャフト回路１１６４とスリップリング組立体１１５０との接触部を介して、搭載された回路基板１１５２と通信する。
【００４３】
図１６Ａ〜図１６Ｂは、本開示の一態様に従った、２つの図面にまたがる、図１の外科用器具１０の制御回路７００のブロック図である。主に図１６Ａ〜図１６Ｂを参照すると、ハンドル組立体７０２は、モータドライバ７１５により制御可能であり、外科用器具１０の発射システムにより用いられることが可能な、モータ７１４を備えることができる。様々な形態において、モータ７１４は、約２５，０００ＲＰＭの最大回転速度を有する、ブラシ付きＤＣ駆動モータであってよい。別の構成において、モータ７１４はブラシレスモータ、コードレスモータ、同期モータ、ステッパモータ、又は任意の他の好適な電動モータを含んでよい。モータドライバ７１５は、例えば、電界効果トランジスタ（ＦＥＴ）７１９を含むＨブリッジドライバを備えてもよい。モータ７１４は、制御電力を外科用器具１０に供給するためにハンドル組立体５００に解放可能に固定された電源組立体７０６により給電されてもよい。電源組立体７０６は、外科用器具１０に給電するための電源として使用され得る、直列に接続された複数の電池を備えてもよい。特定の状況下では、電源組立体７０６の電池セルは、交換可能及び／又は再充電可能であってよい。少なくとも１つの例では、電池セルは、電源組立体７０６に別個に連結可能であり得るリチウムイオン電池であってよい。
【００４４】
シャフト組立体７０４は、シャフト組立体７０４と電源組立体７０６がハンドル組立体７０２に連結されている間に、インタフェースを介して安全コントローラ及び電力管理コントローラ７１６と通信可能である、シャフト組立体コントローラ７２２を含むことができる。例えば、インタフェースは、シャフト組立体７０４及び電源組立体７０６がハンドル組立体７０２に連結されている間にシャフト組立体コントローラ７２２と電力管理コントローラ７１６との間の電気通信を可能にするために、対応するシャフト組立体電気コネクタとの連結係合のために１つ以上の電気コネクタを含み得る第１のインタフェース部分７２５、及び、対応する電源組立体電気コネクタとの連結係合のために１つ以上の電気コネクタを含み得る第２のインタフェース部分７２７を備え得る。インタフェースを介して１つ以上の通信信号を送信して、取り付けられて交換式シャフト組立体７０４の１つ以上の電力要件を電力管理コントローラ７１６に送信することができる。それに応じて、電力管理コントローラは、取り付けられたシャフト組立体７０４の電力要件に従って、以下に更に詳細に記載されているように、電源組立体７０６の電池の電力出力を変調し得る。コネクタは、ハンドル組立体７０２の、シャフト組立体７０４及び／又は電源組立体７０６への機械的連結係合の後に活性化して、シャフト組立体コントローラ７２２と電力管理コントローラ７１６との電気的通信を可能にすることができるスイッチを備えることができる。
【００４５】
インタフェースは、例えば、ハンドル組立体７０２に収められたメインコントローラ７１７を通して、通信信号の経路指定を行うことにより、電力管理コントローラ７１６とシャフト組立体コントローラ７２２との１つ以上のこのような通信信号の伝達を容易にすることができる。他の状況下では、シャフト組立体７０４及び電源組立体７０６がハンドル組立体７０２に連結されている間、インタフェースは、ハンドル組立体７０２を介した電力管理コントローラ７１６とシャフト組立体コントローラ７２２との間の直接線の通信を容易にし得る。
【００４６】
メインコントローラ７１７は、Ｔｅｘａｓ  Ｉｎｓｔｒｕｍｅｎｔｓの商標名ＡＲＭ  Ｃｏｒｔｅｘとして知られるものなど、任意のシングルコア又はマルチコアプロセッサであってよい。一態様では、メインコントローラ７１７は、例えば、その詳細が製品データシートで入手可能である、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルシリアルランダムアクセスメモリ（ＳＲＡＭ）、ＳｔｅｌｌａｒｉｓＷａｒｅ（登録商標）ソフトウェアを搭載した内部読み出し専用メモリ（ＲＯＭ）、２ＫＢの電気的消去可能プログラマブル読み出し専用メモリ（ＥＥＰＲＯＭ）、１つ以上のパルス幅変調（ＰＷＭ）モジュール、１つ以上の直交エンコーダ入力（ＱＥＩ）アナログ、１２個のアナログ入力チャネルを備える１つ以上の１２ビットアナログ−デジタル変換器（ＡＤＣ）を含む、Ｔｅｘａｓ  Ｉｎｓｔｒｕｍｅｎｔｓから入手可能なＬＭ４Ｆ２３０Ｈ５ＱＲ  ＡＲＭ  Ｃｏｒｔｅｘ−Ｍ４Ｆプロセッサコアであってもよい。
【００４７】
安全コントローラは、やはりＴｅｘａｓ  Ｉｎｓｔｒｕｍｅｎｔｓの商標名Ｈｅｒｃｕｌｅｓ  ＡＲＭ  Ｃｏｒｔｅｘ  Ｒ４として知られている、ＴＭＳ５７０及びＲＭ４ｘなど、２つのコントローラベースファミリを備える安全コントローラプラットフォームであってよい。安全コントローラは、拡張性のある性能、接続性、及びメモリの選択肢を提供しながら、高度な集積型安全機構を提供するために、中でも特に、ＩＥＣ６１５０８及びＩＳＯ２６２６２の安全限界用途専用に構成されてもよい。
【００４８】
電源組立体７０６は、電力管理回路を含んでよく、電力管理回路は、電力管理コントローラ７１６、電力変調器７３８、及び電流感知回路７３６を含み得る。シャフト組立体７０４及び電源組立体７０６がハンドル組立体７０２に連結されている間に、電力管理回路は、シャフト組立体７０４の電力要件に基づいて電池の電力出力を変調するように構成され得る。電力管理コントローラ７１６は、電源組立体７０６の電力出力の電力変調器７３８を制御するようにプログラムされ得、電流感知回路７３６は、電源組立体７０６の電力出力を監視して、電池の電力出力に関するフィードバックを電力管理コントローラ７１６に提供するように用いられ得るため、電力管理コントローラ７１６は、電源組立体７０６の電力出力を調節して、所望の出力を維持することができる。電力管理コントローラ７１６及び／又はシャフト組立体コントローラ７２２はそれぞれ、多数のソフトウェアモジュールを記憶可能な１つ以上のプロセッサ、及び／又はメモリユニットを備えることができる。
【００４９】
外科用器具１０（図１〜図５）は、感覚フィードバックをユーザに提供するための装置を含み得る、出力装置７４２を備えることができる。このような装置は、例えば、視覚的フィードバック装置（例えば、ＬＣＤ表示スクリーン、ＬＥＤインジケータ）、可聴フィードバック装置（例えば、スピーカー、ブザー）又は触覚フィードバック装置（例えば、触覚作動装置）を含んでもよい。このような装置は、例えば、視覚的フィードバック装置（例えば、ＬＣＤディスプレイスクリーン、ＬＥＤインジケータ）、可聴フィードバック装置（例えば、スピーカー、ブザー）又は触覚フィードバック装置（例えば、触覚作動装置）を含んでもよい。特定の状況下では、出力装置７４２は、ハンドル組立体７０２に含まれ得るディスプレイ７４３を備えてよい。シャフト組立体コントローラ７２２及び／又は電力管理コントローラ７１６は、出力装置７４２を介して外科用器具１０のユーザにフィードバックを提供し得る。インタフェースは、シャフト組立体コントローラ７２２及び／又は電力管理コントローラ７１６を出力装置７４２に接続するように構成することができる。出力装置７４２は代わりに、電源組立体７０６と一体化することができる。このような状況下では、シャフト組立体７０４がハンドル組立体７０２に連結されている一方で、出力装置７４２とシャフト組立体コントローラ７２２との間の通信はインタフェースを介して成し遂げられ得る。
【００５０】
制御回路７００は、電動外科用器具１０の動作を制御するように構成された回路セグメントを備える。安全コントローラセグメント（セグメント１）は、安全コントローラ、及びメインコントローラ７１７セグメント（セグメント２）を備える。安全コントローラ及び／又はメインコントローラ７１７は、加速度セグメント、ディスプレイセグメント、シャフトセグメント、エンコーダセグメント、モータセグメント、及び電力セグメントなどの１つ以上の追加の回路セグメントと相互作用するように構成されている。回路セグメントのそれぞれは、安全コントローラ及び／又はメインコントローラ７１７に連結されてよい。メインコントローラ７１７もまた、フラッシュメモリに連結される。メインコントローラ７１７は、シリアル通信インタフェースもまた備える。メインコントローラ７１７は、例えば、１つ以上の回路セグメント、電池、及び／又は複数のスイッチに連結された、複数の入力を備える。セグメント化回路は、例えば、電動外科用器具１０内のプリント回路基板組立体（ＰＣＢＡ）など、任意の好適な回路によって実装されてもよい。プロセッサという用語は、本明細書で使用するとき、任意のマイクロプロセッサ、プロセッサ、１つ若しくは複数のコントローラ、又は、コンピュータの中央処理装置（ＣＰＵ）の機能を１つの集積回路又は最大で数個の集積回路上に組み込んだ、他の基本コンピューティングデバイスを含むと理解されるべきである。メインコントローラ７１７は、デジタルデータを入力として受理し、メモリに記憶された命令に従ってそのデータを処理し、結果を出力として提供する、多目的のプログラム可能装置である。これは、内部メモリを有するので、逐次的デジタル論理の一例である。制御回路７００は、本明細書で記載される１つ以上のプロセスを実装するように構成されてもよい。
【００５１】
加速度セグメント（セグメント３）は加速度計を備える。加速度計は、電動外科用器具１０の移動又は加速度を検出するように構成されている。加速度計からの入力は、スリープモードとの間での遷移、電動外科用器具の配向の識別、及び／又は外科用器具が落下したときの識別に使用されてもよい。いくつかの例では、加速度セグメントは安全コントローラ及び／又はメインコントローラ７１７に連結される。
【００５２】
ディスプレイセグメント（セグメント４）は、メインコントローラ７１７に連結されたディスプレイコネクタを備える。表示コネクタは、メインコントローラ７１７を、ディスプレイの１つ以上の集積回路ドライバを通して、ディスプレイに連結している。ディスプレイの集積回路ドライバは、ディスプレイと一体化されてよく、かつ／又はディスプレイとは別個に配置されてよい。ディスプレイは、例えば、有機発光ダイオード（ＯＬＥＤ）ディスプレイ、液晶ディスプレイ（ＬＣＤ）、及び／又は任意の他の好適なディスプレイなど、任意の好適なディスプレイを含んでもよい。いくつかの例では、ディスプレイセグメントは安全コントローラに連結される。
【００５３】
シャフトセグメント（セグメント５）は、外科用器具１０（図１〜図５）に連結された、交換式シャフト組立体５００用の制御、並びに／又は、交換式シャフト組立体５００に連結されたエンドエフェクタ１５００用の１つ以上の制御を備える。シャフトセグメントは、メインコントローラ７１７をシャフトＰＣＢＡに連結するように構成された、シャフトコネクタを備える。シャフトＰＣＢＡは、強誘電性ランダムアクセスメモリ（ＦＲＡＭ）、関節運動スイッチ、シャフト解放ホール効果スイッチ、及びシャフトＰＣＢＡ  ＥＥＰＲＯＭを有する低電力マイクロコントローラを備える。シャフトＰＣＢＡ  ＥＥＰＲＯＭは、交換式シャフト組立体５００及び／又はシャフトＰＣＢＡに固有の、１つ以上のパラメータ、ルーチン、及び／又はプログラムを含む。シャフトＰＣＢＡは交換式シャフト組立体５００に連結されてもよく、かつ／又は、外科用器具１０と一体であってもよい。いくつかの例では、シャフトセグメントは、第２のシャフトＥＥＰＲＯＭを備える。第２のシャフトＥＥＰＲＯＭは、電動外科用器具１０と連係され得る１つ以上のシャフト組立体５００及び／又はエンドエフェクタ１５００に対応する複数のアルゴリズム、ルーチン、パラメータ、及び／又は他のデータを含む。
【００５４】
位置エンコーダセグメント（セグメント６）は、１つ以上の磁気式角度回転位置エンコーダを備える。１つ以上の磁気式角度回転位置エンコーダは、外科用器具１０（図１〜図５）のモータ７１４、交換式シャフト組立体５００、並びに／又はエンドエフェクタ１５００の回転位置を識別するように構成されている。いくつかの例では、磁気式角度回転位置エンコーダは、安全コントローラ及び／又はメインコントローラ７１７に連結されてよい。
【００５５】
モータ回路セグメント（セグメント７）は、電動外科用器具１０（図１〜図５）の移動を制御するように構成された、モータ７１４を備える。モータ７１４は、１つ以上のＨブリッジ電界効果トランジスタ（ＦＥＴ）、及びモータコントローラを備える、Ｈブリッジドライバによりメインマイクロコントローラプロセッサ７１７に連結される。Ｈブリッジドライバはまた、安全コントローラにも連結される。モータ電流センサは、モータの電引き込み電流を測定するため、モータと直列に連結している。モータ電流センサは、メインコントローラ７１７及び／又は安全コントローラと信号通信している。いくつかの例では、モータ７１４は、モータ電磁干渉（ＥＭＩ）フィルタに連結されている。
【００５６】
モータコントローラは、第１のモータフラグ及び第２のモータフラグを制御して、モータ７１４のステータス及び位置をメインコントローラ７１７に示す。メインコントローラ７１７は、パルス幅変調（ＰＷＭ）高信号、ＰＷＭ低信号、方向信号、同期信号及びモータリセット信号をモータコントローラに、バッファを介して供給する。電力セグメントは、セグメント電圧を回路セグメントのそれぞれに提供するように構成される。
【００５７】
電力セグメント（セグメント８）は、安全コントローラ、メインコントローラ７１７、及び追加の回路セグメントに連結された電池を備える。電池は、電池コネクタ及び電流センサによってセグメント化回路に連結されている。電流センサは、セグメント化回路の合計引き込み電流を測定するように構成されている。いくつかの例では、１つ以上の電圧変換器が、所定の電圧値を１つ以上の回路セグメントに提供するように構成されている。例えば、いくつかの例では、セグメント化回路は、３．３Ｖ電圧変換器及び／又は５Ｖ電圧変換器を備えてもよい。ブースト変換器は、例えば１３Ｖ以下など、既定量以下のブースト電圧を提供するように構成されている。ブースト変換器は、電力集約的な動作の間、追加の電圧及び／又は電流を提供し、電圧低下又は低電力状態を防止するように構成されている。
【００５８】
複数のスイッチは、安全コントローラ及び／又はメインコントローラ７１７に連結されている。スイッチは、セグメント化回路の、外科用器具１０（図１〜図５）の動作を制御し、かつ／又は外科用器具１０のステータスを示すように構成されてよい。緊急離脱ドアスイッチ、及び緊急離脱用のホール効果スイッチは、緊急離脱ドアのステータスを示すように構成される。例えば、左側関節運動左スイッチ、左側関節運動右スイッチ、左側関節運動中央スイッチ、右側関節運動左スイッチ、右側関節運動右スイッチ、及び右側関節運動中央スイッチなど、複数の関節運動スイッチは、交換式シャフト組立体５００（図１及び図３）並びに／又はエンドエフェクタ３００（図１及び図４）の関節運動を制御するように構成されている。左側反転スイッチ及び右側反転スイッチは、メインコントローラ７１７に連結される。左側関節運動左スイッチ、左側関節運動右スイッチ、左側関節運動中央スイッチ、及び左側反転スイッチを備える左側スイッチは、左側可撓コネクタによってメインコントローラ７１７に連結されている。右側関節運動左スイッチ、右側関節運動右スイッチ、右側関節運動中央スイッチ、及び右側反転スイッチを備える右側スイッチは、右側可撓コネクタによってメインコントローラ７１７に連結されている。発射スイッチ、クランプ解放スイッチ、及びシャフト係合スイッチは、メインコントローラ７１７に連結されている。
【００５９】
任意の好適な機械的スイッチ、電気機械的スイッチ、又は固体スイッチを用いて、任意の組み合わせで、複数のスイッチを実装してよい。例えば、スイッチは、外科用器具１０（図１〜図５）、又は対象体の存在と関連した構成要素の運動により操作される、制限スイッチであってよい。このようなスイッチを用いて、外科用器具１０と関連した様々な機能を制御することができる。制限スイッチは、一組の接触部と機械的に繋がったアクチュエータからなる、電気機械装置である。対象体がアクチュエータと接触すると、装置はその接触部を操作して、電気的接続を作成する、又は破壊する。その丈夫さ、取り付けの容易さ、及び動作の信頼性により、制限スイッチは様々な用途及び環境で用いられる。制限スイッチは、対象体の有無、通過、配置、及び移動の終了を判定することができる。他の実装形態においては、スイッチは、とりわけホール効果装置、磁気抵抗性（ＭＲ）装置、巨大磁気抵抗性（ＧＭＲ）装置、磁力計などの、磁場の影響下動作する、固体スイッチであってもよい。他の実装形態では、スイッチは、とりわけ光センサ、赤外線センサ、紫外線センサなどの光の影響下で動作する固体スイッチであってもよい。更に、スイッチは、例えばトランジスタ（例えば、ＦＥＴ、接合ＦＥＴ、金属酸化物半導体ＦＥＴ（ＭＯＳＦＥＴ）、バイポーラなど）などの固体装置であってもよい。他のスイッチとしてはとりわけ、導電体非含有スイッチ、超音波スイッチ、加速度計、慣性センサを挙げることができる。
【００６０】
図１７は、本開示の一態様に従った、ハンドル組立体７０２と電源組立体７０６との間のインタフェース、及びハンドル組立体７０２と交換式シャフト組立体７０４との間のインタフェースを示す、図１の外科用器具の制御回路７００の別のブロック図である。ハンドル組立体７０２は、メインコントローラ７１７、シャフト組立体コネクタ７２６、及び電源組立体コネクタ７３０を備えることができる。電源組立体７０６は、電源組立体コネクタ７３２、電力管理コントローラ７１６を備え得る電力管理回路７３４、電力変調器７３８、及び電流感知回路７３６を含むことができる。シャフト組立体コネクタ７３０、７３２はインタフェース７２７を形成する。交換式シャフト組立体７０４及び電源組立体７０６がハンドル組立体７０２に連結されている間、電力管理回路７３４は、交換式シャフト組立体７０４の電力要件に基づいて電池７０７の電力出力を変調するように構成され得る。例えば、電力管理コントローラ７１６は、電源組立体７０６の電力出力の電力変調器７３８を制御するようにプログラムされ得、電流感知回路７３６は、電池７０７の電力出力に関するフィードバックを電力管理コントローラ７１６に提供するため、電源組立体７０６の電力出力を監視するように用いられ得、そのため、電力管理コントローラ７１６は、電源組立体７０６の電力出力を調節して、所望の出力を維持することができる。シャフト組立体７０４は、不揮発性メモリ７２１及びシャフト組立体コネクタ７２８に連結され、シャフト組立体７０４をハンドル組立体７０２に電気的に連結する、シャフトプロセッサ７１９を備える。シャフト組立体コネクタ７２６、７２８は、インタフェース７２５を形成する。メインコントローラ７１７、シャフトプロセッサ７１９、及び／又は電力管理コントローラ７１６は、本明細書で記載されるプロセスの１つ以上を実装するように構成することができる。
【００６１】
外科用器具１０（図１〜図５）は、感覚フィードバックをユーザに送る出力装置７４２を備えることができる。このような装置は、視覚的フィードバック装置（例えば、ＬＣＤ表示画面、ＬＥＤインジケータ）、可聴フィードバック装置（例えば、スピーカー、ブザー）又は触覚フィードバック装置（例えば、触覚作動装置）を含んでよい。特定の状況下では、出力装置７４２は、ハンドル組立体７０２に含まれ得るディスプレイ７４３を備えてよい。シャフト組立体コントローラ７２２及び／又は電力管理コントローラ７１６は、出力装置７４２を介して外科用器具１０のユーザにフィードバックを提供し得る。インタフェース７２７は、シャフト組立体コントローラ７２２及び／又は電力管理コントローラ７１６を出力装置７４２に接続するように構成され得る。出力装置７４２は電源組立体７０６と一体化されてもよい。交換式シャフト組立体７０４がハンドル組立体７０２に連結されている間に、出力装置７４２とシャフト組立体コントローラ７２２との通信が、インタフェース７２５を介して成し遂げられ得る。外科用器具１０（図１〜図５）の動作を制御するための制御回路７００（図１６Ａ〜図１６Ｂ、及び図６）を記載したが、本開示はここから、外科用器具１０（図１〜図５）及び制御回路７００の様々な構成に転じる。
【００６２】
図１８は、本開示の一態様に従った、様々な機能を制御するように構成された外科用器具６００の概略図である。一態様では、外科用器具６００は、Ｉビーム６１４などの変位部材の遠位並進を制御するようにプログラムされる。外科用器具６００は、アンビル６１６と、Ｉビーム６１４と、ＲＦカートリッジ６０９（破線で示す）と交換することができる着脱可能なステープルカートリッジ６１８と、を備え得るエンドエフェクタ６０２を備える。エンドエフェクタ６０２、アンビル６１６、Ｉビーム６１４、ステープルカートリッジ６１８、及びＲＦカートリッジ６０９は、例えば図１〜図１５に関して本明細書に記載されているとおりに構成されてもよい。開示を簡潔かつ明確にするために、本開示のいくつかの態様は、図１８を参照して説明され得る。制御回路６１０、センサ６３８、位置センサ６３４、エンドエフェクタ６０２、Ｉビーム６１４、ステープルカートリッジ６１８、ＲＦカートリッジ６０９、アンビル６１６などの、図１８に概略的に示す構成要素は、本開示の図１〜図１７と関連して記載されていることが理解されよう。
【００６３】
したがって、図１８に概略的に表される構成要素は、図１〜図１７と関連して記載される、物理的かつ機能的に等価な構成要素により、速やかに置換可能である。例えば、一態様において、制御回路６１０は、図１６〜図１７と関連して図示及び記載される制御回路７００として実装されてもよい。一態様では、センサ６３８はとりわけ、制限スイッチ、電気機械装置、固体スイッチ、ホール効果装置、磁気抵抗（ＭＲ）装置、巨大磁気抵抗（ＧＭＲ）装置、磁力計として実装されてもよい。他の実装形態では、センサ６３８は、とりわけ光センサ、赤外線センサ、紫外線センサなどの、光の影響下で動作する固体スイッチであってもよい。更に、スイッチは、例えばトランジスタ（例えば、ＦＥＴ、接合ＦＥＴ、金属酸化物半導体ＦＥＴ（ＭＯＳＦＥＴ）、バイポーラなど）などの固体装置であってもよい。他の実装形態では、センサ６３８は、とりわけ、導電体非含有スイッチ、超音波スイッチ、加速度計、慣性センサを含んでもよい。一態様では、位置センサ６３４は、Ａｕｓｔｒｉａ  Ｍｉｃｒｏｓｙｓｔｅｍｓ，ＡＧから入手可能なＡＳ５０５５ＥＱＦＴシングルチップ磁気回転位置センサとして実装される磁気回転絶対位置決めシステムを備える絶対位置決めシステムとして実装されてもよい。位置センサ６３４は、制御回路７００と連係して絶対位置決めシステムを提供することができる。位置は、磁石の上に位置し、桁毎計算法（digit-by-digit method）、及びヴォルダーのアルゴリズム（Volder's algorithm）としても知られている、ＣＯＲＤＩＣプロセッサ（座標回転デジタルコンピュータ用）に連結された、複数のホール効果素子を含んでよく、加法、減法、ビットシフト、及びテーブル参照演算のみを必要とする、双曲線関数及び三角関数を計算するための簡潔かつ効果的なアルゴリズムを実装するために提供される。一態様では、エンドエフェクタ６０２は、図１、図２、及び図４と関連して図示及び記載される外科用エンドエフェクタ１５００として実装されてもよい。一態様では、Ｉビーム６１４は、上に組織切断刃１３３４を動作可能に支持するナイフ本体１３３２を備えるナイフ部材１３３０として実装されてもよく、図２〜図４、図８、図１１、及び図１４と関連して図示及び記載される、アンビル係合タブ又は特徴部１３３６及び通路係合特徴部又は足部１３３８を更に含んでよい。一態様では、ステープルカートリッジ６１８は、図４と関連して図示及び記載される、標準的な（機械式）外科用締結具カートリッジ１４００として実装されてもよい。一態様では、ＲＦカートリッジ６０９は、図１、図２、図６、及び図１０〜図１３と関連して図示及び記載される、高周波（ＲＦ）カートリッジ１７００として実装されてもよい。一態様では、アンビル６１６は、図１、図２、図４、及び図６と関連して図示及び記載されるアンビル１８１０として実装されてもよい。これら、及び他のセンサ構成は、その全体が本明細書に参照により組み込まれる、同一出願の米国特許出願第１５／６２８，１７５号（表題「ＴＥＣＨＮＩＱＵＥＳ  ＦＯＲ  ＡＤＡＰＴＩＶＥ  ＣＯＮＴＲＯＬ  ＯＦ  ＭＯＴＯＲ  ＶＥＬＯＣＩＴＹ  ＯＦ  Ａ  ＳＵＲＧＩＣＡＬ  ＳＴＡＰＬＩＮＧ  ＡＮＤ  ＣＵＴＴＩＮＧ  ＩＮＳＴＲＵ��ＥＮＴ」）に記載されている。
【００６４】
Ｉビーム６１４などの直線変位部材の位置、移動、変位、及び／又は並進は、絶対位置決めシステム、センサ構成、及び位置センサ６３４として表される位置センサにより、測定可能である。Ｉビーム６１４が長手方向に移動可能な駆動部材５４０に連結されているため、Ｉビーム６１４の位置は、位置センサ６３４を使用する長手方向に移動可能な駆動部材５４０の位置を測定することによって判定することができる。したがって、以下の説明では、Ｉビーム６１４の位置、変位、及び／又は並進は、本明細書に記載される位置センサ６３４によって達成され得る。図１６Ａ及び図１６Ｂに記載する制御回路７００などの制御回路６１０は、本明細書に記載したＩビーム６１４などの変位部材の並進を制御するようにプログラムすることができる。いくつかの例では、制御回路６１０は、１つ以上のマイクロコントローラ、マイクロプロセッサ、又は１つ若しくは複数のプロセッサに、記載される方法で変位部材、例えばＩビーム６１４を制御させる命令を実行するための他の好適なプロセッサを備えてもよい。一態様では、タイマー／計数回路６３１は、経過時間又はデジタルカウントなどの出力信号を制御回路６１０に提供して、位置センサ６３４によって測定されたＩビーム６１４の位置をタイマー／計数回路６３１の出力と相関させ、その結果、制御回路６１０は、開始位置に対する特定の時間（ｔ）におけるＩビーム６１４の位置を判定することができる。タイマー／計数回路６３１は、経過時間を測定するか、外部イベントを計数するか、又は外部イベントの時間を測定するように構成されてよい。
【００６５】
制御回路６１０は、モータ設定値信号６２２を生成してもよい。モータ設定値信号６２２は、モータコントローラ６０８に提供されてもよい。モータコントローラ６０８は、本明細書で説明するように、モータ６０４にモータ駆動信号６２４を提供してモータ６０４を駆動するように構成された１つ以上の回路を備えてもよい。いくつかの例では、モータ６０４は、図１に示すモータ５０５などのブラシ付きＤＣ電動モータであってもよい。例えば、モータ６０４の速度は、モータ駆動信号６２４に比例してもよい。いくつかの例では、モータ６０４はブラシレス直流（ＤＣ）電動モータであってもよく、モータ駆動信号６２４は、モータ６０４の１つ以上の固定子巻線に提供されるパルス幅変調（ＰＷＭ）信号を含んでもよい。また、いくつかの例では、モータコントローラ６０８は省略されてもよく、制御回路６１０がモータ駆動信号６２４を直接生成してもよい。
【００６６】
モータ６０４は、エネルギー源６１２から電力を受容することができる。エネルギー源６１２は、電池、超コンデンサ、又は任意の他の好適なエネルギー源６１２であってもよく、あるいはそれを含んでもよい。モータ６０４は、伝達装置６０６を介してＩビーム６１４に機械的に連結され得る。伝達装置６０６は、モータ６０４をＩビーム６１４に連結するための１つ以上の歯車又は他の連結構成要素を含んでもよい。位置センサ６３４は、Ｉビーム６１４の位置を感知し得る。位置センサ６３４は、Ｉビーム６１４の位置を示す位置データを生成することができる任意の種類のセンサであってもよく、又はそれを含んでもよい。いくつかの例では、位置センサ６３４は、Ｉビーム６１４が遠位及び近位に並進すると一連のパルスを制御回路６１０に提供するように構成されたエンコーダを含んでもよい。制御回路６１０は、パルスを追跡してＩビーム６１４の位置を判定してもよい。例えば近接センサを含む他の好適な位置センサが使用されてもよい。他の種類の位置センサは、Ｉビーム６１４の運動を示す他の信号を提供することができる。また、一部の例では、位置センサ６３４は省略されてもよい。モータ６０４がステップモータである場合、制御回路６１０は、モータ６０４が実行するように指示されたステップの数及び方向を合計することによって、Ｉビーム６１４の位置を追跡することができる。位置センサ６３４は、エンドエフェクタ６０２内、又は器具の任意の他の部分に位置してもよい。
【００６７】
制御回路６１０は、１つ以上のセンサ６３８と通信してもよい。センサ６３８は、エンドエフェクタ６０２上に配置され、外科用器具６００と共に動作して、間隙距離対時間、組織圧縮対時間、及びアンビル歪み対時間などの様々な導出パラメータを測定するように適合されてもよい。センサ６３８は、磁気センサ、磁界センサ、歪みゲージ、圧力センサ、力センサ、渦電流センサなどの誘導センサ、抵抗センサ、容量センサ、光学センサ、及び／又はエンドエフェクタ６０２の１つ以上のパラメータを測定するための任意の他の好適なセンサを備えてもよい。センサ６３８は、１つ以上のセンサを含んでもよい。
【００６８】
１つ以上のセンサ６３８は、クランプ留め状態の間のアンビル６１６における歪みの大きさを測定するように構成された、微小歪みゲージなどの歪みゲージを備えてもよい。歪みゲージは、歪みの大きさに伴って振幅が変動する電気信号を提供する。センサ６３８は、アンビル６１６とステープルカートリッジ６１８との間で圧縮された組織の存在によって生成された圧力を検出するように構成された圧力センサを備えてもよい。センサ６３８は、アンビル６１６とステープルカートリッジ６１８との間に位置する組織部分のインピーダンスを検出するように構成されてもよく、このインピーダンスは、それらの間に位置する組織の厚さ及び／又は充満度を示す。
【００６９】
センサ６３８は、閉鎖駆動システムによりにより、アンビル６１６上に及ぼされる力を測定するように構成されてよい。例えば、１つ以上のセンサ６３８は、閉鎖管１９１０（図１〜図４）とアンビル６１６との相互作用点に位置し、閉鎖管１９１０によりアンビル６１６に適用される閉鎖力を検出することができる。アンビル６１６に対して及ぼされる力は、アンビル６１６とステープルカートリッジ６１８との間で捕捉された組織切片が受容する組織圧縮を表すものであり得る。１つ以上のセンサ６３８を、閉鎖駆動システムに沿って様々な相互作用点に配置して、閉鎖駆動システムによりアンビル６１６に適用される閉鎖力を検出することができる。１つ以上のセンサ６３８は、図１６Ａ〜図１６Ｂに記載されているプロセッサにより、クランプ動作中にリアルタイムでサンプリングされてもよい。制御回路６１０は、リアルタイムのサンプル測定値を受信して、分析時間ベースの情報を提供し、アンビル６１６に印加される閉鎖力をリアルタイムで評価する。
【００７０】
モータ６０４によって引き込まれる電流を測定するために、電流センサ６３６を用いることができる。Ｉビーム６１４を前進させるのに必要な力は、モータ６０４によって引き込まれる電流に相当する。力はデジタル信号に変換されて、制御回路６１０に提供される。
【００７１】
ＲＦエネルギー源４００はエンドエフェクタ６０２に連結され、ＲＦカートリッジ６０９が、ステープルカートリッジ６１８の代わりにエンドエフェクタ６０２にロードされるときに、ＲＦカートリッジ６０９に適用される。制御回路６１０は、ＲＦエネルギーのＲＦカートリッジ６０９への送達を制御する。
【００７２】
電気外科用器具において、ジョーとエンドエフェクタとの間に位置する組織の密度は、エンドエフェクタの長さに伴い変動する。高密度の組織はエンドエフェクタの近位部に位置することができ、中密度の組織はエンドエフェクタの中間部分に位置することができ、低密度の組織はエンドエフェクタの遠位部に位置することができる。柔軟性ジョーを用いて、可変密度の組織に、可変圧縮を加えることができる。一定のエネルギー密度は、可変圧縮を印加するための柔軟性ジョーの長さに沿って可変密度の組織を封止するには効果的ではない場合がある。したがって、本開示は、可変圧縮に対して、柔軟性ジョーの長さに沿って可変エネルギー密度を送達して、可変密度の組織に好適な封止をもたらすように構成された電気外科用カートリッジを提供する。
【００７３】
上で開示したように、図１０〜図１２に関して、電気外科用装置は、例えば、第１ジョー組立体１６００の細長通路１６０２内に配置された高周波（ＲＦ）外科用カートリッジ１７００などの着脱可能な電気外科用カートリッジを含むエンドエフェクタ１５００を含むことができる。いくつかの態様では、電気外科用装置は、ＲＦエネルギーをＲＦ外科用カートリッジ、及びその構成要素に供給するように設計されたＲＦ発電機に電気的に接続することができる。図１０は、中央に配置された隆起電極パッド１７２０と共に形成されたカートリッジ本体１７１２を有する、ＲＦ外科用カートリッジ１７００の態様を部分的に示す。最も具体的には図６に確認できるように、細長スロット１７１２は、電極パッド１７２０の中心を通って延び、パッド１７２０を、左パッドセグメント１７２０Ｌと右パッドセグメント１７２０Ｒとに分割する役割を果たす。図１０に戻ると、右側フレキシブル回路組立体１７３０Ｒは右パッドセグメント１７２０Ｒに取り付けられ、左側フレキシブル回路組立体１７３０Ｌは左パッドセグメント１７２０Ｌに取り付けられている。更に、右側フレキシブル回路組立体１７３０Ｒは、「フェーズ１」、即ち近位右側電極１７３６Ｒ、及び「フェーズ２」、即ち遠位右側電極１７３８Ｒを含む。更に、左側フレキシブル回路組立体１７３０Ｌは、「フェーズ１」、即ち近位左側電極１７３６Ｌ、及び「フェーズ２」、即ち遠位左側電極１７３８Ｌを含む。
【００７４】
図１９Ａ及び図１９Ｂは、例えばＲＦ外科用カートリッジ１７００などの交換可能な電気外科用カートリッジを有するエンドエフェクタ１５００の代替の態様を示す。図１９Ａは、開構成のエンドエフェクタ１５００を表し、図１９Ｂは、閉構成のエンドエフェクタ１５００を表す。閉構成において、エンドエフェクタ１５００の第１ジョー組立体１６００及び第２ジョー組立体１８００は、これらの間に配置される一片の組織６０７０がクランプ留め圧力を受けることができるような距離にて、互いに近接して離間することができる。開構成において、第１ジョー組立体１６００及び第２ジョー組立体１８００は、より大きい距離で離間されてもよい。エンドエフェクタ１５００の開構成又は閉構成は、近位閉鎖管１９１０の位置及び動作アクションにより判定することができる。
【００７５】
図１９Ａに示すように、エンドエフェクタ１５００は、交換可能なＲＦ外科用カートリッジ１７００を受容する細長通路を含むことができる、第１ジョー組立体１６００を含む。ＲＦ外科用カートリッジ１７００は、１つ以上の電極を配置することができるカートリッジ本体１７１０を含む。図１９Ａに示す態様において、ＲＦ外科用カートリッジ１７００は、１つ以上のシアー電極６０３８及び切開電極６２３８を含む２種類の電極を含むことができる。１つ以上のシアー電極６０３８は一般に、ＲＦ外科用カートリッジ１７００の縦軸に沿って延びることができる細長い態様を有することができる。いくつかの非限定的態様において、一対のシアー電極６０３８のうちの１つは、細長スロットのいずれかの側に配置されてもよい。切開電極６２３８はカートリッジ本体１７１０の遠位端に配置されてもよい。ＲＦ外科用カートリッジ１７００の更なる特徴部としては、カートリッジ本体１７１０の遠位端にあるジョースペーサ６０６０を挙げることができる。図１９Ｂに示すように、ジョースペーサ６０６０は、アンビル１８１０の内側表面がシアー電極６０３８のいずれか１つ以上及び切開電極６２３８と接触することを防止するように作用することができる。
【００７６】
切開電極６２３８に加えて、１つ以上のシアー電極６０３８は、フレキシブルカートリッジ回路１７５０の一部であり得るフレキシブル回路組立体に配置されてもよい。１つ以上のシアー電極６０３８は、任意量のＲＦエネルギーを、１つ以上のシアー電極６０３８に近接して配置された組織６０７０に送達するために動作することができる。例えば、図１９Ｂは、クランプ留め運動ＣＭに従って、第１ジョー組立体１６００と第２ジョー組立体１８００との間でクランプ留めされた一片の組織６０７０を表す。いくつかの態様では、シアー電極６０３８に近接する組織６０７０に送達されるＲＦエネルギーと、クランプ留め運動ＣＭによって第１ジョー組立体１６００及び第２ジョー組立体１８００により生成された圧縮力とを組み合わせることで、組織での止血封止の生成がもたらされ得る。切開電極６２３８は、ＲＦエネルギーを印加することにより、組織を具体的にスポット治療するために使用され得る。１つ以上のシアー電極６０３８及び切開電極６２３８のそれぞれを、ＲＦエネルギー生成器、例えば発電機４００に電気的に連結することができる。
【００７７】
１つ以上のシアー電極６０３８のそれぞれは、１つ以上の電極部分を更に含むことができる。例えば、図１０に表すように、右側シアー電極及び左側シアー電極のそれぞれは、別個の近位電極（１７３６Ｒ及び１７３６Ｌ）及び遠位電極（１７３８Ｒ及び１７３８Ｌ）を含むことができる。右側シアー電極及び側左シアー電極のそれぞれに関して、近位電極及び遠位電極のそれぞれは、ＲＦカートリッジの縦軸に沿って、又は平行に配置されてもよい。近位電極（１７３６Ｒ、Ｌ）は、「フェーズ１」手順の間に個別に活性化されてよく、遠位電極（１７３８Ｒ、Ｌ）は、「フェーズ２」手順の間に別個に活性化されてよい。図１９Ａに示す態様において、シアー電極６０３８のそれぞれは、複数の機能性電極部分６１３８ａ〜ｃに、機能的に分離することができる。図１０に示した態様と同様に、電極部分６１３８ａ〜ｃは、ＲＦカートリッジの縦軸に沿って、又は平行に配置されることができる。各電極部分６１３８ａ〜ｃは、ある量のＲＦエネルギーを近接した組織に送達することができるが、任意の１つの電極部分により送達されるＲＦエネルギー量は、異なる電極部分により送達されるＲＦエネルギー量とは異なっていてよい。ある非限定例において、低エネルギー電極部分６１３８ａに近接した組織に送達されるＲＦエネルギーの量は、中エネルギー電極部分６１３８ｂに近接した組織に送達されるＲＦエネルギー量未満であってもよい。同様に、中エネルギー電極部分６１３８ｂに近接した組織に送達されるＲＦエネルギーの量は、高エネルギー電極部分６１３８ｃに近接した組織に送達されるＲＦエネルギーの量未満であってもよい。いくつかの態様では、電極部分６１３８ａ〜ｃのそれぞれは、任意の好適なＲＦ電気式切り替え構成要素により、別個に作動させることができる。いくつかの代替の態様において、全て、又はいくつかの電極部分６１３８ａ〜ｃが、一緒に作動されてよい。
【００７８】
上記のとおり、組織を止血封止する有効性は、組織に印加される圧縮圧力と圧縮した組織に送達されるＲＦエネルギーの量の両方に左右され得る。組織に送達されるＲＦエネルギーの量は、効果的な止血封止を形成するために十分でなければならない。組織に送達されるＲＦエネルギーが少なすぎると、止血封止が適切に形成しない場合がある。あるいは、組織に送達されるＲＦエネルギーが多すぎると、組織が焦げ、又は損傷して、止血封止を形成できなくなる場合がある。効果的な止血封止を形成するのに必要なＲＦエネルギーの量は、組織厚、組織密度、及び組織組成を含むがこれらに限定されない、組織の特性に左右され得る。いくつかの例では、止血封止を受ける一片の組織は、組織厚、組織密度、及び／又は組織組成に関して、効果的に均一であってもよい。あるいは、止血封止を受ける一片の組織は、組織厚、組織密度、及び／又は組織組成に関して不均一であってもよい。
【００７９】
様々な電極部分で構成されるシアー電極を有する電気外科用装置を使用して、不均一な組織などにまたがり、効果的な止血封止を形成することができる。図１９Ｂに示すエンドエフェクタ１５００の態様において、組織６０７０は不均一であり、組織厚、組織密度、及び／又は組織組成のいずれか１つ以上が異なり得る組織セクションを有することができる。非限定例において、組織６０７０は高密度組成６１７０ａ、中密度組成６１７０ｂ、及び低密度組成６１７０ｃを有することができる。図１９Ａと図１９Ｂとを比較すると、高密度組成６１７０ａを有する組織を効果的に止血封止することは、低エネルギー電極部分６１３８ａを使用して行うことができることが表される。同様に、中密度組成６１７０ｂを有する組織を効果的に止血封止することは、中エネルギー電極部分６１３８ｂを使用して行うことができ、低密度組成６１７０ｃを有する組織を効果的に止血封止することは、高エネルギー電極部分６１３８ｃを使用して行うことができる。
【００８０】
電極により送達されるＲＦエネルギーの量は、少なくとも部分的には、電極表面におけるＲＦエネルギー密度に左右され得る。したがって、電極表面の特性の１つ以上が変動することを使用して、表面のその部分における電極により送達されるＲＦエネルギーを調節することができる。一態様では、電極表面材料の抵抗を調節して、その電極表面に送達されるＲＦエネルギーを制御することができる。別の態様において、電極表面の寸法（例えば、電極幅）を調節して、その電極表面に送達されるＲＦエネルギーを制御することができる。別の態様において、電極表面は、その電極表面に送達されるＲＦエネルギーの制御を可能にし得る物理的特徴部を組み込むことができる。このような特徴部の例としては、電極表面上に、又は電極表面内に、抵抗性構成要素又は電気絶縁性構成要素を含めることを挙げることができる。
【００８１】
図２０は、任意の数又は種類の特徴部６１３９ａ〜６１３９ｄを組み込むことができる、いくつかの例示的なシアー電極６０３８ａ〜６０３８ｄを示す。シアー電極６０３８ａ〜６０３８ｄのそれぞれは、導電性材料（特にＲＦエネルギーを伝導するように設計されたもの）で構成され得るシアー電極表面６０３９ａ〜６０３９ｄを備えることができる。シアー電極表面に特徴部６１３９ａ〜６１３９ｄを配置することは、１つ以上のパターン化エネルギー送達表面を包含することができる。したがって、シアー電極６０３８ａの一態様は、一組の横断直線特徴部６１３９ａを組み込む、パターン化エネルギー送達表面を有するシアー電極表面６０３９ａを有することができる。シアー電極６０３８ｂの別の態様は、一組の円形特徴部６１３９ｂを組み込む、パターン化エネルギー送達表面を有するシアー電極表面６０３９ｂを有することができる。シアー電極６０３８ｃの更に別の態様は、一組の凹型四辺形（「山形」）特徴部６１３９ｃを組み込む、パターン化エネルギー送達表面を有するシアー電極表面６０３９ｃを有することができる。６１３９ａ〜ｃなどの特徴部は、個別の幾何学的形状から形成され得るが、特徴部は、シアー電極表面６０３９ｄの表面の１つ又は複数の部分に連続して、又はほぼ連続してまたがることができる、目盛り付き特徴部６１３９ｄをもたらす複雑な構成要素もまた備えることができる。
【００８２】
シアー電極６０３８の一部により組織に送達され得るある量のＲＦエネルギーは、パターン化エネルギー送達表面の特定の態様を形成する特徴部６１３９ａ〜６１３９ｄの、数、種類、サイズ、及び／又は面密度により、制御することができると認識することができる。図２０は例えば、シアー電極の低エネルギー部分６１３８ａが、シアー電極の中エネルギー部分６１３８ｂよりも多くの数の特徴部（例えば６１３９ａ〜６１３９ｄ）を組み込む、パターン化エネルギー送達表面を有することができることを示す。同様に、シアー電極の中エネルギー部分６１３８ｂは、パターン化エネルギー送達表面の高エネルギー部分６１３８ｃよりも多くの数の特徴部（例えば６１３９ａ〜６１３９ｄ）を組み込む、パターン化エネルギー送達表面を有することができる。
【００８３】
図１９Ａ及び図２０には３つのエネルギー部分６１３８ａ〜ｃが示されているが、シアー電極６０３８は任意の数の個別のエネルギー部分を有することができると認識することができる。個別のエネルギー部分のそれぞれは、パターン化エネルギー送達表面から構成されてもよい。シアー電極６０３８に組み込まれるエネルギー部分の数の非限定例としては、２つのエネルギー部分、３つのエネルギー部分、４つのエネルギー部分、５つのエネルギー部分、又は任意の有限数のエネルギー部分を挙げることができる。更に、例示的なシアー電極６０３８ｄに関して上で開示したように、シアー電極６０３８ｄの表面は、シアー電極６０３８ｄの表面にわたりＲＦエネルギーの連続体を供給するように構成された目盛り付き特徴部６０３９ｄを組み込んだ、パターン化エネルギー送達表面を有することができる。目盛り付き特徴部６０３９ｄにより供給されたＲＦエネルギーの連続体としてはシアー電極６０３８ｄの表面にわたるＲＦエネルギーの直線連続体、ＲＦエネルギーの二次連続体、シアー電極６０３８ｄの表面にわたるＲＦエネルギーの対数連続体、又は、シアー電極６０３８ｄの表面にわたるＲＦエネルギーの指数連続体を挙げることができるが、これらに限定されない。
【００８４】
図２０に示される個々の特徴部６１３９ａ〜６１３９ｄは、シアー電極表面６０３９ａ〜６０３９ｄに組み込まれ得る特徴部６１３９ａ〜６１３９ｄの非限定的な例であることを認識されたい。このような特徴部の他の非限定例としては、直線、円形、長円形、楕円形、長方形、正方形、丸みを帯びた長方形である特徴部、又は任意の閉鎖二次元形状により画定される幾何学形状を有する特徴部を挙げることができる。シアー電極６０３８ａ〜６０３８ｄの任意の態様に関して、特徴部は全て、同一形状を有することができる、又は異なる形状を有することができる。シアー電極６０３８ａ〜６０３８ｄの任意の態様に関して、特徴部は全て、同一サイズを有することができる、又は異なるサイズを有することができる。シアー電極６０３８ａ〜６０３８ｄの任意の態様に関して、特徴部は全て、互いに物理的に分離されていてもよく、互いに連続していてもよく、又は、互いに物理的に分離されること及び連続していることの組み合わせであってもよい。
【００８５】
上で更に開示したように、エネルギー部分のそれぞれは、パターン化エネルギー送達表面を含むことができる。パターン化エネルギー送達表面はそれぞれ、任意の数、任意サイズ、任意形状、又は任意の面密度の特徴部を組み込むことができる。シアー電極の特定の態様のパターン化エネルギー送達表面はそれぞれ、同一形状の特徴部を有することができるが、電極の任意の２つのパターン化エネルギー送達表面間で、特徴部の数、サイズ、及び／又は面密度が異なっていてよい。シアー電極の特定の態様のパターン化エネルギー送達表面はそれぞれ、同一数の特徴部を有することができるが、電極の任意の２つのパターン化エネルギー送達表面間で、特徴部の形状、サイズ、及び／又は面密度が異なっていてよい。シアー電極の特定の態様のパターン化エネルギー送達表面はそれぞれ、同一サイズの特徴部を有することができるが、電極の任意の２つのパターン化エネルギー送達表面において、特徴部は、数、形状、及び／又は面密度が異なっていてよい。シアー電極の特定の態様のパターン化エネルギー送達表面はそれぞれ、シアー電極表面上で同一の特徴部面密度を有する特徴部を有することができるが、電極の任意の２つのパターン化エネルギー送達表面間で、特徴部の数、サイズ、及び／又は形状が異なっていてよい。
【００８６】
上で開示したとおり、特徴部６１３９ａ〜６１３９ｄは、シアー電極６０３８ａ〜６０３８ｄ上、又はシアー電極６０３８ａ〜６０３８ｄ内に溶着された電気絶縁性材料から形成することができる。ある非限定的態様において、図２０に表す特徴部６１３９ａ〜６１３９ｄは、例えばエンドミルを使用して、シアー電極表面６０３９ａ〜６０３９ｄから部分を除去してくぼみ特徴部を形成することができ、次いで、くぼみ特徴部に電気絶縁性材料を溶着させる製造方法を使用して、特徴部を形成する。特徴部６１３９ａ〜６１３９ｄを製造する代替的な方法としては、例えば、電気絶縁性材料をくぼみ特徴部に溶着させる前に、くぼんだ特徴部を含むように電極を成型することを挙げることができる。１つ以上のくぼみ特徴部を部分的に、シアー電極６０３８ａ〜６０３８ｄの厚みを通して延ばすことができる。
【００８７】
あるいは、１つ以上のくぼみ特徴部を、シアー電極６０３８ａ〜６０３８ｄの厚みを通して完全に延ばすことができ、これにより、くぼみ特徴部は、電極の上側又は下側のいずれかから、電気絶縁性材料を受容することが可能になる。電気絶縁性材料は、くぼみ特徴部を完全に埋めることで、シアー電極表面６０３９ａ〜６０３９ｄと同一平面上にある表面を形成することができる。代替の一態様において、電気絶縁性材料はくぼみ特徴部を不完全に埋めることで、シアー電極表面６０３９ａ〜６０３９ｄからくぼんだ表面を形成することができる。また更なる態様では、電気絶縁性材料をくぼみ特徴部に入れすぎることで、シアー電極表面６０３９ａ〜６０３９ｄの上に突出した表面を形成することができる。
【００８８】
別の非限定的態様において、図２０に表す特徴部６１３９ａ〜６１３９ｄは、溶着法により製造することができる。ある非限定例において、シアー電極表面６０３９ａ〜６０３９ｄを、一部分が除去された電気絶縁性材料によりコーティングすることにより、下にある電極表面を覆わずにおくことができる。特徴部６１３９ａ〜６１３９ｄは、溶着した電気絶縁性材料の部分を除去することにより、例えば、電気絶縁性材料をシアー電極表面６０３９ａ〜６０３９ｄにまず接触させ、次いで材料の一部分を除去して特徴部６１３９ａ〜６１３９ｄを形成する製造方法を使用することにより、製造され得る。特徴部６１３９ａ〜６１３９ｄを製造する代替的な溶着方法としては、例えば、シアー電極表面６０３９ａ〜６０３９ｄに直接特徴部６１３９ａ〜６１３９ｄを印刷することを挙げることができる。シアー電極表面６０３９ａ〜６０３９ｄ上に特徴部６１３９ａ〜６１３９ｄを製造する更なる代替方法もまた、用いることができる。
【００８９】
電気外科用システムと共に使用するための着脱可能なＲＦカートリッジの構成要素であり得るＲＦ電極の態様を、上で開示している。このようなＲＦ電極は、電極の表面又は１つ以上の表面部分により、これらに近接して配置された組織に供給されるＲＦエネルギーの量を修正するように設計された１つ以上のパターン化エネルギー送達表面に組み込まれた、１つ以上の特徴部を組み込むことができる。このような特徴部、及び／又はパターン化エネルギー送達表面の複数の態様が本明細書にて開示されているが、このような態様は限定を行うものと解釈されるべきではない。したがって、パターン化エネルギー送達表面は、電気外科用システムの１つ以上のジョー組立体又は電極の表面に構成され得る、任意の好適な特徴部を含むことができる。パターン化エネルギー送達表面は一般に、電極の平坦な表面、電極の表面上に垂直に延びる、１つ以上の隆起又は高設特徴部、又は、電極の表面の下に垂直に延びる、１つ以上のくぼみ押下特徴部に適用される特徴部を含むことができる。用語「電極に配置された電気絶縁性材料」は、電極の平坦な表面、電極の表面上に垂直に延びる、１つ以上の隆起又は高設特徴部、又は、電極の表面の下に垂直に延びる、１つ以上のくぼみ押下特徴部への材料の適用を包含すると理解することができる。本明細書では、それらの機構を製作する方法に関して、表現又は示唆される制限はない。
【００９０】
パターン化エネルギー送達表面は、単一の特徴部又は複数の特徴部を包含することができる。単一の特徴部又は複数の特徴部は、電極に配置された電気絶縁性材料の限られた範囲の部分、例えば、小さな円形の部分を有することができる。単一の特徴部又は複数の特徴部は、電極に配置された電気絶縁性材料のより拡大された範囲の部分、例えば細長部分を有することができる。限られた範囲又は拡大された範囲のいずれかの、単一の特徴部又は複数の特徴部は、電極表面において、それぞれの形状、サイズ、又は寸法が限定されない。制限された範囲又は拡大された範囲のいずれかの単一の機構又は複数の機構は、電極の表面の周りのそれらのそれぞれの配置において限定されない。したがって、一例として、電気絶縁性材料の細長部分は、電極の縦軸に本質的に平行な軸に沿って延びることができる。あるいは、電気絶縁性材料の細長部分は、電極の縦軸に実質的に垂直な軸に沿って延びることができる。更に別の代替的実施例において、電気絶縁性材料の細長部分は、第１電極の縦軸に本質的でも平行、本質的に垂直でもない軸に沿って延びることができる。
【００９１】
パターン化エネルギー送達表面は、電極表面に配置された電気絶縁性材料の部分、又は、電極表面に配置された電気絶縁性材料のコーティングから除去された部分の、任意の１つ又は複数の組み合わせを含み得る、複数の特徴部を組み込むことができる。複数の機構が組み合わされてもよい。更に、複数の機構が、電極の表面の周りに対称的に配設されてもよく、あるいは電極の表面の周りに非対称的に配設されてもよい。制限された範囲又は拡大された範囲のいずれかの複数の機構は、電極の表面の周りにおける互いに対する配置において限定されない。
【００９２】
外科用器具の態様は、本明細書で開示した具体的な詳細を伴わずに実施することができる。いくつかの態様は、詳細ではなくブロック図として示されている。本開示の一部は、コンピュータメモリに格納されたデータ上で動作する命令として、表されてもよい。一般に、広範囲のハードウェア、ソフトウェア、ファームウェア、又はそれらの任意の組み合わせによって、個々にかつ／又は集合的に実装することができる、本明細書で説明する様々な態様を、様々な種類の「電気回路」から構成されるものと見なすことができる。結果として、「電気回路構成」は、少なくとも１つの個々の電気回路を有する電気回路構成、少なくとも１つの集積回路を有する電気回路構成、少なくとも１つの特定用途向け集積回路を有する電気回路構成、コンピュータプログラムで構成された汎用コンピューティングデバイス（例えば、本明細書で説明したプロセス及び／若しくはデバイスを少なくとも部分的に実行するコンピュータプログラムで構成された汎用コンピュータ又はマイクロプロセッサ）を形成する電気回路構成、メモリデバイスを形成する（例えば、ランダムアクセスメモリの形態）電気回路構成、及び／又は、通信デバイス（例えばモデム、通信スイッチ、若しくは光学電気機器）を形成する電気回路構成を含むが、これらに限定されない。これらの態様はアナログ形態若しくはデジタル形態、又はこれらの組み合わせで実装することができる。
【００９３】
前述の説明は、１つ以上の機能及び／又は動作を含み得る、ブロック図、フローチャート、及び／又は実施例の使用による、装置及び／又はプロセスの態様を説明している。このようなブロック図、フローチャート、又は実施例における各機能及び／又は動作は、広範囲のハードウェア、ソフトウェア、ファームウェア、又は実質上これらの任意の組み合わせにより、個別に、かつ／又は集合的に実装することができる。一態様では、本明細書で記載される主題のいくつかの部分は、特定用途向け集積回路（ＡＳＩＣ）、フィールドプログラマブルゲートアレイ（ＦＰＧＡ）、デジタル信号プロセッサ（ＤＳＰ）、プログラマブルロジックデバイス（ＰＬＤ）、回路、レジスタ並びに／又はソフトウェア構成要素（例えばプログラム、サブルーチン、論理並びに／若しくはハードウェア及びソフトウェア構成要素の組み合わせ）、論理ゲート、又は他の一体化フォーマットにより実装されてもよい。その全部か一部かを問わず、本明細書で開示される形態のいくつかの態様は、１台以上のコンピュータ上で稼働する１つ以上のコンピュータプログラムとして（例えば、１台以上のコンピュータシステム上で稼働する１つ以上のプログラムとして）、１つ以上のプロセッサ上で稼働する１つ以上のプログラムとして（例えば、１つ以上のマイクロプロセッサ上で稼働する１つ以上のプログラムとして）、ファームウェアとして、あるいは、それらの実質的に任意の組み合わせとして、集積回路において等価に実装することができ、また、回路を設計すること、並びに／又はソフトウェア及び／若しくはファームウェアのコードを記述することは、本開示を鑑みれば当業者の技能の範囲内に含まれることが、当業者には理解されよう。
【００９４】
開示される主題のメカニズムは、多様な形式でプログラム製品として配布されることが可能であり、本明細書に記載される主題の例示的な態様は、配布を実際に行うために使用される特定の種類の信号搬送媒体に関係なく用いられる。信号搬送媒体の例としては以下：記録可能型の媒体、フロッピーディスク、ハードディスクドライブ、コンパクトディスク（ＣＤ）、デジタルビデオディスク（ＤＶＤ）、デジタルテープ、コンピュータメモリなど、並びに伝送型の媒体、例えば、デジタル及び／又はアナログ通信媒体（例えば、光ファイバケーブル、導波管、導体通信リンク、導電体非含有通信リンク（例えば、送信機、受信機、送信ロジック、受信ロジックなど）など）が挙げられる。
【００９５】
これらの態様の前述の説明は、記載及び説明を目的として提示されている。包括的であることも、開示された厳密な形態に限定することも意図されていない。上記の教示を鑑みて、修正又は変形が可能である。これら態様は、原理及び実際の応用について例示し、それによって、態様を修正例と共に、想到される特定の用途に適するものとして当業者が利用できるようにするために、選択され記載されるものである。本明細書と共に提示される特許請求の範囲が全体的な範囲を定義することが意図される。
【００９６】
本明細書に記載される主題の様々な態様は、以下の番号付けされた実施例において説明される。
実施例１．電気外科用装置であって、エンドエフェクタの細長通路内に配置されるように構成されたカートリッジであって、カートリッジが、カートリッジの縦軸に沿って配置される複数の電極部分を有する電極を備え、電極が発電機と電気的に連結するように構成されている、カートリッジを備え、複数の電極部分のうちの各電極部分が、電極部分に近接して配置された組織にある量のエネルギーを送達するように構成され、複数の電極部分のうちの第１の電極部分によって送達されるエネルギーの量が、複数の電極部分のうちの第２の電極部分によって送達されるエネルギーの量とは異なる、電気外科用装置。
【００９７】
実施例２．カートリッジが、細長通路内に解放可能に配置されるように構成されている、実施例１に記載の電気外科用装置。
【００９８】
実施例３．複数の電極部分が、近位右側電極、遠位右側電極、近位左側電極、及び遠位左側電極を備える、実施例１〜実施例２の１つ以上に記載の電気外科用装置。
【００９９】
実施例４．右側フレキシブル回路及び左側フレキシブル回路を更に備え、近位右側電極及び遠位右側電極が、右側フレキシブル回路に電気的に連結されており、近位左側電極及び遠位左側電極が、左側フレキシブル回路に電気的に連結されている、実施例３に記載の電気外科用装置。
【０１００】
実施例５．右側フレキシブル回路及び左側フレキシブル回路がそれぞれ、０．０２５インチの全体幅を有し、近位右側電極、遠位右側電極、近位左側電極、及び遠位左側電極がそれぞれ、０．０１０インチの幅を有する、実施例４に記載の電気外科用装置。
【０１０１】
実施例６．電気外科用装置であって、エンドエフェクタの細長通路内に配置されるように構成されたカートリッジであって、カートリッジが、カートリッジの縦軸に沿って配置される複数の電極部分を有する電極を備え、電極が発電機と電気的に連結するように構成されている、カートリッジと、電極に電気的に連結されたフレキシブルカートリッジ回路であって、フレキシブルカートリッジ回路が、細長通路内に配置された通路回路の遠位端上にある、複数の露出した接触部に電気的に連結するように構成されている、フレキシブルカートリッジ回路と、を備え、複数の電極部分のうちの各電極部分が、電極部分に近接して配置された組織にある量のエネルギーを送達するように構成され、複数の電極部分のうちの第１の電極部分によって送達されるエネルギーの量が、複数の電極部分のうちの第２の電極部分によって送達されるエネルギーの量とは異なる、電気外科用装置。
【０１０２】
実施例７．通路回路が、フレキシブルシャフト回路ストリップの遠位接触部分に電気的に連結された近位接触部分を更に備える、実施例６に記載の電気外科用装置。
【０１０３】
実施例８．フレキシブルシャフト回路ストリップの近位接触部分が、発電機に電気的に連結するように構成されている、実施例７に記載の電気外科用装置。
【０１０４】
実施例９．エンドエフェクタであって、第１ジョー組立体であって、細長通路と、細長通路内に配置された電気外科用カートリッジであって、電気外科用カートリッジの縦軸に沿って配置された複数のシアー電極部分を有するシアー電極と、電気外科用カートリッジの遠位端に配置された切開電極と、を更に備える、電気外科用カートリッジと、を備える、第１ジョー組立体と、電気外科用カートリッジの表面に近接して移動するように構成されたアンビルを備える第２ジョー組立体と、を備え、シアー電極及び切開電極はそれぞれ、電気外科用発電機から電気外科的エネルギーを受容するように構成され、複数のシアー電極部分のうちの各シアー電極部分が、シアー電極部分に近接して配置された組織にある量の電気外科的エネルギーを送達するように構成され、複数のシアー電極部分のうちの第１のシアー電極部分によって送達される電気外科的エネルギーの量が、複数のシアー電極部分のうちの第２のシアー電極部分によって送達される電気外科的エネルギーの量とは異なる、エンドエフェクタ。
【０１０５】
実施例１０．電気外科用カートリッジが、細長通路内に解放可能に配置されている、実施例９に記載のエンドエフェクタ。
【０１０６】
実施例１１．第１のシアー電極部分が、第２のシアー電極部分の近位にある、実施例９〜実施例１０の１つ以上に記載のエンドエフェクタ。
【０１０７】
実施例１２．第１のシアー電極部分により送達される電気外科的エネルギーの量が、第２のシアー電極部分により送達される電気外科的エネルギーの量未満である、実施例１１に記載のエンドエフェクタ。
【０１０８】
実施例１３．第１のシアー電極部分が第１のパターン化エネルギー送達表面を有し、第２のシアー電極部分が第２のパターン化エネルギー送達表面を有する、実施例１１〜実施例１２の１つ以上に記載のエンドエフェクタ。
【０１０９】
実施例１４．第１のパターン化エネルギー送達表面が、第２のパターン化エネルギー送達表面とは異なる、実施例１３に記載のエンドエフェクタ。
【０１１０】
実施例１５．第１のパターン化エネルギー送達表面及び第２のパターン化エネルギー送達表面がそれぞれ、複数の表面特徴部を備える、実施例１３〜実施例１４の１つ以上に記載のエンドエフェクタ。
【０１１１】
実施例１６．複数の表面特徴部が電気絶縁性材料を備える、実施例１５に記載のエンドエフェクタ。
【０１１２】
実施例１７．第１のパターン化エネルギー送達表面が、複数の表面特徴部の第１の面密度を有し、第２のパターン化エネルギー送達表面が、複数の表面特徴部の第２の面密度を有し、複数の表面特徴部の第１の面密度が、複数の表面特徴部の第２の面密度よりも大きい、実施例１５〜実施例１６の１つ以上に記載のエンドエフェクタ。
【０１１３】
実施例１８．複数の表面特徴部が、複数の横断直線特徴部を備えている、実施例１５〜実施例１７の１つ以上に記載のエンドエフェクタ。
【０１１４】
実施例１９．複数の表面特徴部が、複数の円形特徴部を備えている、実施例１５〜実施例１８の１つ以上に記載のエンドエフェクタ。
【０１１５】
実施例２０．複数の表面特徴部が、複数の凹型四辺形特徴部を備えている、実施例１５〜実施例１９の１つ以上に記載のエンドエフェクタ。
【０１１６】
実施例２１．第１のパターン化エネルギー送達表面が、第１のシアー電極部分の表面に直接配置された、第１の複数の表面特徴部を備え、第２のパターン化エネルギー送達表面が、第２のシアー電極部分の表面に直接配置された、第２の複数の表面特徴部を備える、実施例１５〜実施例２０の１つ以上に記載のエンドエフェクタ。
【０１１７】
実施例２２．第１のパターン化エネルギー送達表面が、第１のシアー電極部分の表面に配置された、第１の複数のくぼみ表面特徴部を備え、第２のパターン化エネルギー送達表面が、第２のシアー電極部分の表面に配置された、第２の複数のくぼみ表面特徴部を備える、実施例１５〜実施例２１の１つ以上に記載のエンドエフェクタ。
【０１１８】
実施例２３．シアー電極が、左側シアー電極及び右側シアー電極を備える、実施例９〜実施例２２の１つ以上に記載のエンドエフェクタ。
【０１１９】
実施例２４．左側シアー電極が、電気外科用カートリッジの縦軸に沿って配置された複数の左側シアー電極部分を備え、右側シアー電極が、電気外科用カートリッジの縦軸に沿って配置された複数の右側シアー電極部分を備える、実施例２３に記載のエンドエフェクタ。
【０１２０】
実施例２５．左側シアー電極が、電気外科用カートリッジの縦軸に沿って配置された３つの左側シアー電極部分を備え、右側シアー電極が、電気外科用カートリッジの縦軸に沿って配置された３つの右側シアー電極部分を備える、実施例２４に記載のエンドエフェクタ。
【０１２１】
〔実施の態様〕
（１）  電気外科用装置であって、
エンドエフェクタの細長通路内に配置されるように構成されたカートリッジであって、前記カートリッジが、前記カートリッジの縦軸に沿って配置される複数の電極部分を有する電極を備え、前記電極が発電機と電気的に連結するように構成されている、カートリッジを備え、
前記複数の電極部分のうちの各電極部分が、前記電極部分に近接して配置された組織にある量のエネルギーを送達するように構成され、
前記複数の電極部分のうちの第１の電極部分によって送達されるエネルギーの量が、前記複数の電極部分のうちの第２の電極部分によって送達されるエネルギーの量とは異なる、電気外科用装置。
（２）  前記カートリッジが、前記細長通路内に解放可能に配置されるように構成されている、実施態様１に記載の電気外科用装置。
（３）  前記複数の電極部分が、近位右側電極、遠位右側電極、近位左側電極、及び遠位左側電極を備える、実施態様１に記載の電気外科用装置。
（４）  右側フレキシブル回路及び左側フレキシブル回路を更に備え、前記近位右側電極及び前記遠位右側電極が、前記右側フレキシブル回路に電気的に連結されており、前記近位左側電極及び前記遠位左側電極が、前記左側フレキシブル回路に電気的に連結されている、実施態様３に記載の電気外科用装置。
（５）  前記右側フレキシブル回路及び前記左側フレキシブル回路がそれぞれ、０．６３５ｍｍ（０．０２５インチ）の全体幅を有し、前記近位右側電極、前記遠位右側電極、前記近位左側電極、及び前記遠位左側電極がそれぞれ、０．２５４ｍｍ（０．０１０インチ）の幅を有する、実施態様４に記載の電気外科用装置。
【０１２２】
（６）  電気外科用装置であって、
エンドエフェクタの細長通路内に配置されるように構成されたカートリッジであって、前記カートリッジが、前記カートリッジの縦軸に沿って配置される複数の電極部分を有する電極を備え、前記電極が発電機と電気的に連結するように構成されている、カートリッジと、
前記電極に電気的に連結されたフレキシブルカートリッジ回路であって、前記フレキシブルカートリッジ回路が、前記細長通路内に配置された通路回路の遠位端上にある、複数の露出した接触部に電気的に連結するように構成されている、フレキシブルカートリッジ回路と、を備え、
前記複数の電極部分のうちの各電極部分が、前記電極部分に近接して配置された組織にある量のエネルギーを送達するように構成され、
前記複数の電極部分のうちの第１の電極部分によって送達されるエネルギーの量が、前記複数の電極部分のうちの第２の電極部分によって送達されるエネルギーの量とは異なる、電気外科用装置。
（７）  前記通路回路が、フレキシブルシャフト回路ストリップの遠位接触部分に電気的に連結された近位接触部分を更に備える、実施態様６に記載の電気外科用装置。
（８）  前記フレキシブルシャフト回路ストリップの近位接触部分が、前記発電機に電気的に連結するように構成されている、実施態様７に記載の電気外科用装置。
（９）  エンドエフェクタであって、
第１ジョー組立体であって、
細長通路と、
前記細長通路内に配置された電気外科用カートリッジであって、
前記電気外科用カートリッジの縦軸に沿って配置された複数のシアー電極部分を有するシアー電極（shear electrode）と、
前記電気外科用カートリッジの遠位端に配置された切開電極（dissector electrode）と、を更に備える、電気外科用カートリッジと、を備える、第１ジョー組立体と、
前記電気外科用カートリッジの表面に近接して移動するように構成されたアンビルを備える第２ジョー組立体と、を備え、
前記シアー電極及び前記切開電極はそれぞれ、電気外科用発電機から電気外科的エネルギーを受容するように構成され、
前記複数のシアー電極部分のうちの各シアー電極部分が、前記シアー電極部分に近接して配置された組織にある量の電気外科的エネルギーを送達するように構成され、
前記複数のシアー電極部分のうちの第１のシアー電極部分によって送達される電気外科的エネルギーの量が、前記複数のシアー電極部分のうちの第２のシアー電極部分によって送達される電気外科的エネルギーの量とは異なる、エンドエフェクタ。
（１０）  前記電気外科用カートリッジが、前記細長通路内に解放可能に配置されている、実施態様９に記載のエンドエフェクタ。
【０１２３】
（１１）  前記第１のシアー電極部分が、前記第２のシアー電極部分の近位にある、実施態様９に記載のエンドエフェクタ。
（１２）  前記第１のシアー電極部分により送達される前記電気外科的エネルギーの量が、前記第２のシアー電極部分により送達される前記電気外科的エネルギーの量未満である、実施態様１１に記載のエンドエフェクタ。
（１３）  前記第１のシアー電極部分が第１のパターン化エネルギー送達表面を有し、前記第２のシアー電極部分が第２のパターン化エネルギー送達表面を有する、実施態様１１に記載のエンドエフェクタ。
（１４）  前記第１のパターン化エネルギー送達表面が、前記第２のパターン化エネルギー送達表面とは異なる、実施態様１３に記載のエンドエフェクタ。
（１５）  前記第１のパターン化エネルギー送達表面及び前記第２のパターン化エネルギー送達表面がそれぞれ、複数の表面特徴部を備える、実施態様１３に記載のエンドエフェクタ。
【０１２４】
（１６）  前記複数の表面特徴部が電気絶縁性材料を備える、実施態様１５に記載のエンドエフェクタ。
（１７）  前記第１のパターン化エネルギー送達表面が、複数の表面特徴部の第１の面密度を有し、前記第２のパターン化エネルギー送達表面が、複数の表面特徴部の第２の面密度を有し、複数の表面特徴部の前記第１の面密度が、複数の表面特徴部の前記第２の面密度よりも大きい、実施態様１５に記載のエンドエフェクタ。
（１８）  前記複数の表面特徴部が、複数の横断直線特徴部を備えている、実施態様１５に記載のエンドエフェクタ。
（１９）  前記複数の表面特徴部が、複数の円形特徴部を備えている、実施態様１５に記載のエンドエフェクタ。
（２０）  前記複数の表面特徴部が、複数の凹型四辺形特徴部を備えている、実施態様１５に記載のエンドエフェクタ。
【０１２５】
（２１）  前記第１のパターン化エネルギー送達表面が、前記第１のシアー電極部分の表面に直接配置された、第１の複数の表面特徴部を備え、前記第２のパターン化エネルギー送達表面が、前記第２のシアー電極部分の表面に直接配置された、第２の複数の表面特徴部を備える、実施態様１５に記載のエンドエフェクタ。
（２２）  第１のパターン化エネルギー送達表面が、前記第１のシアー電極部分の表面に配置された、第１の複数のくぼみ表面特徴部を備え、前記第２のパターン化エネルギー送達表面が、前記第２のシアー電極部分の表面に配置された、第２の複数のくぼみ表面特徴部を備える、実施態様１５に記載のエンドエフェクタ。
（２３）  前記シアー電極が、左側シアー電極及び右側シアー電極を備える、実施態様９に記載のエンドエフェクタ。
（２４）  前記左側シアー電極が、前記電気外科用カートリッジの縦軸に沿って配置された複数の左側シアー電極部分を備え、前記右側シアー電極が、前記電気外科用カートリッジの縦軸に沿って配置された複数の右側シアー電極部分を備える、実施態様２３に記載のエンドエフェクタ。
（２５）  前記左側シアー電極が、前記電気外科用カートリッジの縦軸に沿って配置された３つの左側シアー電極部分を備え、前記右側シアー電極が、前記電気外科用カートリッジの縦軸に沿って配置された３つの右側シアー電極部分を備える、実施態様２４に記載のエンドエフェクタ。
【図１】
2020525205.tif 000003
【図２】
2020525205.tif 000004
【図３】
2020525205.tif 000005
【図４】
2020525205.tif 000006
【図５】
2020525205.tif 000007
【図６】
2020525205.tif 000008
【図７】
2020525205.tif 000009
【図８】
2020525205.tif 000010
【図９】
2020525205.tif 000011
【図１０】
2020525205.tif 000012
【図１１】
2020525205.tif 000013
【図１２】
2020525205.tif 000014
【図１３】
2020525205.tif 000015
【図１４】
2020525205.tif 000016
【図１５】
2020525205.tif 000017
【図１６Ａ】
2020525205.tif 000018
【図１６Ｂ】
2020525205.tif 000019
【図１７】
2020525205.tif 000020
【図１８】
2020525205.tif 000021
【図１９Ａ】
2020525205.tif 000022
【図１９Ｂ】
2020525205.tif 000023
【図２０】
2020525205.tif 000024
【国際調査報告】
2020525205.tif 000025
2020525205.tif 000026